(57)【特許請求の範囲】
【請求項１】
ワイヤレス通信システムにおけるリバースリンクスループットを高める方法であって、
第１のキャリア帯域幅および第２のキャリア帯域幅を識別することと、ここで、前記第２のキャリア帯域幅は、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと
を備え、前記送信することは、少なくとも前記第１の送信されたインジケータに基づいて前記第１のキャリア帯域幅にわたる前記リバースリンク上でのソフト送信ブランキングを調整することを備える、
方法。
【請求項２】
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することをさらに備える、
請求項１に記載の方法。
【請求項３】
前記第２のキャリア帯域幅に対して前記第１のキャリア帯域幅にわたる前記リバースリンク上での前記送信ブランキングを調整するために、前記判定された１つまたは複数のアクティビティーレベルに基づいて少なくとも前記第１のインジケータを送信することは、
少なくとも前記第１の送信されたインジケータに基づいて前記第１のキャリア帯域幅にわたる前記リバースリンク上でのハード送信ブランキングを調整することをさらに備える、
請求項１に記載の方法。
【請求項４】
前記調整された送信ブランキングは、前記調整された送信ブランキングのうちで、前記調整されたソフト送信ブランキングの全期間に満たない部分の間における送信を備える、
請求項１に記載の方法。
【請求項５】
前記調整されたソフト送信ブランキングを、調整されたハード送信ブランキングへ遷移させることをさらに備える、
請求項１に記載の方法。
【請求項６】
前記通常キャリア帯域幅は、前記フレキシブルキャリア帯域幅に完全にオーバーラップする、
請求項１に記載の方法。
【請求項７】
少なくとも前記第１のキャリア帯域幅または前記第２のキャリア帯域幅は、認可されたスペクトルを利用する、
請求項１に記載の方法。
【請求項８】
前記第１のキャリア帯域幅および前記第２のキャリア帯域幅は、別々の無線アクセステクノロジー（ＲＡＴ）を利用する、
請求項１に記載の方法。
【請求項９】
前記第１のインジケータは、少なくともリバースアクティビティービット（ＲＡＢ）の機能であるインジケータ、またはＲＡＢのようなインジケータを備える、
請求項１に記載の方法。
【請求項１０】
前記第１のインジケータは、少なくともリバースリンクサイレンスデュレーションの機能であるインジケータ、またはリバースリンクサイレンスデュレーションのようなインジケータを備える、
請求項１に記載の方法。
【請求項１１】
前記第１のインジケータは、少なくともＴ２ＰＩｎｆｌｏｗ割り振りの機能であるインジケータ、またはＴ２ＰＩｎｆｌｏｗ割り振りのようなインジケータを備える、
請求項１に記載の方法。
【請求項１２】
前記調整された送信ブランキングは、ハードブランキングとソフトブランキングの組合せを備える、
請求項１に記載の方法。
【請求項１３】
前記第１のキャリア帯域幅にわたる前記調整された送信ブランキングは、スロットレベルで生じる、
請求項１に記載の方法。
【請求項１４】
前記第１のインジケータを送信することは、基地局において生じる、
請求項１に記載の方法。
【請求項１５】
前記少なくとも前記第１のインジケータは、１つまたは複数のモバイルデバイスへ送信される、
請求項１に記載の方法。
【請求項１６】
前記第１のキャリア帯域幅にわたる前記リバースリンク上での送信ブランキングは、前記第２のキャリア帯域幅にわたる同時送信中に生じるように調整される、
請求項１に記載の方法。
【請求項１７】
前記第２のキャリア帯域幅にわたる電力増大を利用して、少なくとも制御チャネルまたはデータチャネルの少なくともデータレートに関する増大を調整することをさらに備える、
請求項１に記載の方法。
【請求項１８】
前記第１のキャリア帯域幅にわたる前記調整された送信ブランキングとは異なる時間中に前記第１のキャリア帯域幅にわたる電力送信増大を調整することをさらに備える、
請求項１に記載の方法。
【請求項１９】
前記第１のキャリア帯域幅が送信を行っていない１つまたは複数のスロット中に前記第２のキャリア帯域幅にわたる同時送信を調整することをさらに備える、
請求項１に記載の方法。
【請求項２０】
前記第１のキャリア帯域幅にわたる同時送信中に前記第２のキャリア帯域幅にわたる前記リバースリンク上での送信ブランキングを調整すること
をさらに備える、請求項１に記載の方法。
【請求項２１】
前記第１のキャリア帯域幅にわたる前記同時送信中に前記第２のキャリア帯域幅にわたる前記リバースリンク上での送信ブランキングを調整することは、少なくとも、前記第２のキャリア帯域幅に対する前記第１のキャリア帯域幅の相対的なローディング、または時刻に依存する、
請求項２０に記載の方法。
【請求項２２】
前記第２のキャリア帯域幅とは異なる第３のキャリア帯域幅を識別することと、ここで、前記第３のキャリア帯域幅は、前記第１のキャリア帯域幅に少なくとも部分的にオーバーラップする、
少なくとも前記第１のキャリア帯域幅または前記第３のキャリア帯域幅上でのアクティビティーレベルを判定することと、
前記判定されたアクティビティーレベルに応じて第１のモバイルデバイスからの前記第１のキャリア帯域幅にわたる前記リバースリンク上での調整された送信ブランキングを生成するために、前記判定に基づいて少なくとも第３のインジケータを前記第１のモバイルデバイスへ送信することと
をさらに備える、請求項１に記載の方法。
【請求項２３】
リバースリンクスループットを高めるように構成されるワイヤレス通信システムであって、
第１のキャリア帯域幅および第２のキャリア帯域幅を識別することを行うための手段と、ここで、前記第２のキャリア帯域幅は、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することを行うための手段と、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することを行うための手段と、
少なくとも前記第１のインジケータを送信することの一部として、少なくとも前記第１の送信されたインジケータに基づいて前記第１のキャリア帯域幅にわたる前記リバースリンク上でのソフト送信ブランキングを調整することを行うための手段と
を備えるワイヤレス通信システム。
【請求項２４】
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することを行うための手段をさらに備える、
請求項２３に記載のワイヤレス通信システム。
【請求項２５】
少なくとも前記第１のインジケータを送信することの一部として、少なくとも前記第１の送信されたインジケータに基づいて前記第１のキャリア帯域幅にわたる前記リバースリンク上でのハード送信ブランキングを調整することを行うための手段をさらに備える、
請求項２３に記載のワイヤレス通信システム。
【請求項２６】
前記第１のインジケータは、少なくともリバースアクティビティービット（ＲＡＢ）の機能であるインジケータ、またはＲＡＢのようなインジケータを備える、
請求項２３に記載のワイヤレス通信システム。
【請求項２７】
ワイヤレス通信システムにおけるリバースリンクスループットを高めるためのコンピュータプログラムであって、
第１のキャリア帯域幅および第２のキャリア帯域幅を識別することを行うためのコードと、ここで、前記第２のキャリア帯域幅は、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することを行うためのコードと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することを行うためのコードと、
少なくとも前記第１のインジケータを送信することの一部として、少なくとも前記第１の送信されたインジケータに基づいて前記第１のキャリア帯域幅にわたる前記リバースリンク上でのソフト送信ブランキングを調整することを行うためのコードと
を備えるコンピュータプログラム。
【請求項２８】
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することを行うためのコードをさらに備える、
請求項２７に記載のコンピュータプログラム。
【請求項２９】
少なくとも前記第１のインジケータを送信することの一部として、少なくとも前記第１の送信されたインジケータに基づいて前記第１のキャリア帯域幅にわたる前記リバースリンク上でのハード送信ブランキングを調整することを行うためのコードをさらに備える、
請求項２７に記載のコンピュータプログラム。
【請求項３０】
前記第１のインジケータは、少なくともリバースリンクサイレンスデュレーションの機能であるインジケータ、またはリバースリンクサイレンスデュレーションのようなインジケータを備える、
請求項２７に記載のコンピュータプログラム。
【請求項３１】
リバースリンクスループットを高めるように構成されるワイヤレス通信デバイスであって、
第１のキャリア帯域幅および第２のキャリア帯域幅を識別することと、ここで、前記第２のキャリア帯域幅が、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと、
少なくとも前記第１のインジケータを送信することの一部として、少なくとも前記第１の送信されたインジケータに基づいて前記第１のキャリア帯域幅にわたる前記リバースリンク上でのソフト送信ブランキングを調整することと
を行うように構成される少なくとも１つのプロセッサと、
前記少なくとも１つのプロセッサに結合される少なくとも１つのメモリと
を備えるワイヤレス通信デバイス。
【請求項３２】
前記少なくとも１つのプロセッサは、
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することを行うようにさらに構成される、
請求項３１に記載のワイヤレス通信デバイス。
【請求項３３】
前記少なくとも１つのプロセッサは、
少なくとも前記第１のインジケータを送信することの一部として、少なくとも前記第１の送信されたインジケータに基づいて前記第１のキャリア帯域幅にわたる前記リバースリンク上でのハード送信ブランキングを調整することを行うようにさらに構成される、
請求項３１に記載のワイヤレス通信デバイス。
【請求項３４】
前記第１のインジケータは、少なくともＴ２ＰＩｎｆｌｏｗ割り振りの機能であるインジケータ、またはＴ２ＰＩｎｆｌｏｗ割り振りのようなインジケータを備える、
請求項３１に記載のワイヤレス通信デバイス。
【請求項３５】
ワイヤレス通信システムにおけるリバースリンクスループットを高める方法であって、
第１のキャリア帯域幅にわたるリバースリンク上での送信ブランキングを調整するために少なくとも第１のインジケータを受信することと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することと
を備え、前記第１のキャリア帯域幅は、通常キャリア帯域幅であり、前記第２のキャリア帯域幅がフレキシブルキャリア帯域幅であり、前記送信ブランキングは、少なくとも前記第１の受信されたインジケータを利用して前記第１のキャリア帯域幅にわたる前記リバースリンク上でのソフト送信ブランキングを実行することを備える、
方法。
【請求項３６】
前記第１のキャリア帯域幅前記送信ブランキングに部分的にオーバーラップする前記第２のキャリア帯域幅にわたる前記同時送信中に前記第１のキャリア帯域幅にわたる前記リバースリンク上での前記送信ブランキングを調整するために少なくとも前記第１の受信されたインジケータを利用することは、
少なくとも前記第１の受信されたインジケータを利用して前記第１のキャリア帯域幅にわたる前記リバースリンク上でのハード送信ブランキングを実行することを備える、
請求項３５に記載の方法。
【請求項３７】
前記第１のインジケータは、少なくともリバースアクティビティービット（ＲＡＢ）の機能であるインジケータ、またはＲＡＢのようなインジケータを備える、
請求項３５に記載の方法。
【請求項３８】
前記第１のインジケータは、少なくともリバースリンクサイレンスデュレーションの機能であるインジケータ、またはリバースリンクサイレンスデュレーションのようなインジケータを備える、
請求項３５に記載の方法。
【請求項３９】
前記第１のインジケータは、少なくともＴ２ＰＩｎｆｌｏｗ割り振りの機能であるインジケータ、またはＴ２ＰＩｎｆｌｏｗ割り振りのようなインジケータを備える、
請求項３５に記載の方法。
【請求項４０】
前記送信ブランキングは、ハードブランキングとソフトブランキングの組合せを備える、
請求項３５に記載の方法。
【請求項４１】
少なくとも前記第１のインジケータを受信することは、モバイルデバイスにおいて生じる、
請求項３５に記載の方法。
【請求項４２】
前記第１のキャリア帯域幅にわたる前記調整された送信ブランキング中に前記同時送信のための前記第２のキャリア帯域幅にわたる送信の電力を増大させることをさらに備える、
請求項３５に記載の方法。
【請求項４３】
前記第１のキャリア帯域幅に部分的にオーバーラップする第３のキャリア帯域幅にわたる同時送信中に前記第１のキャリア帯域幅にわたる前記リバースリンク上での調整された送信ブランキングを設けるために少なくとも前記第１のインジ
ケータまたは第２のインジケータを利用することをさらに備える、請求項３５に記載の方法。
【請求項４４】
リバースリンクスループットを高めるように構成されるワイヤレス通信システムであって、
第１のキャリア帯域幅にわたるリバースリンク上での送信ブランキングを調整するために少なくとも第１のインジケータを受信することを行うための手段と、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することを行うための手段と、ここで、前記第１のキャリア帯域幅は、通常キャリア帯域幅であり、前記第２のキャリア帯域幅がフレキシブルキャリア帯域幅である、
少なくとも前記第１の受信されたインジケータを利用することの一部として、前記第１のキャリア帯域幅にわたる前記リバースリンク上でのソフト送信ブランキングを実行することを行うための手段と
を備えるワイヤレス通信システム。
【請求項４５】
少なくとも前記第１の受信されたインジケータを利用することの一部として、前記第１のキャリア帯域幅にわたる前記リバースリンク上でのハード送信ブランキングを実行することを行うための手段をさらに備える、
請求項４４に記載のワイヤレス通信システム。
【請求項４６】
前記第１のインジケータは、少なくともリバースアクティビティービット（ＲＡＢ）の機能であるインジケータ、またはＲＡＢのようなインジケータを備える、
請求項４４に記載のワイヤレス通信システム。
【請求項４７】
ワイヤレス通信システムにおけるリバースリンクスループットを高めるためのコンピュータプログラムであって、
第１のキャリア帯域幅にわたるリバースリンク上での送信ブランキングを調整するために少なくとも第１のインジケータを受信することを行うためのコードと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することを行うためのコードと、ここで、前記第１のキャリア帯域幅は、通常キャリア帯域幅であり、前記第２のキャリア帯域幅がフレキシブルキャリア帯域幅である、
少なくとも前記第１の受信されたインジケータを利用することの一部として、前記第１のキャリア帯域幅にわたる前記リバースリンク上でのソフト送信ブランキングを実行することを行うためのコードと、
を備えるコンピュータプログラム。
【請求項４８】
少なくとも前記第１の受信されたインジケータを利用することの一部として、前記第１のキャリア帯域幅にわたる前記リバースリンク上でのハード送信ブランキングを実行することを行うためのコードをさらに備える、
請求項４７に記載のコンピュータプログラム。
【請求項４９】
前記第１のインジケータは、少なくともリバースリンクサイレンスデュレーションの機能であるインジケータ、またはリバースリンクサイレンスデュレーションのようなインジケータを備える、
請求項４７に記載のコンピュータプログラム。
【請求項５０】
リバースリンクスループットを高めるように構成されるワイヤレス通信デバイスであって、
第１のキャリア帯域幅にわたるリバースリンク上での送信ブランキングを調整するために少なくとも第１のインジケータを受信することと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することと、ここで前記第１のキャリア帯域幅は、通常キャリア帯域幅であり、前記第２のキャリア帯域幅がフレキシブルキャリア帯域幅である、
少なくとも前記第１の受信されたインジケータを利用することの一部として、前記第１のキャリア帯域幅にわたる前記リバースリンク上でのソフト送信ブランキングを実行することと、
を行うように構成される少なくとも１つのプロセッサと、
前記少なくとも１つのプロセッサに結合される少なくとも１つのメモリと
を備えるワイヤレス通信デバイス。
【請求項５１】
前記少なくとも１つのプロセッサは、
少なくとも前記第１の受信されたインジケータを利用することの一部として、前記第１のキャリア帯域幅にわたる前記リバースリンク上でのハード送信ブランキングを実行することを行うようにさらに構成される、
請求項５０に記載のワイヤレス通信デバイス。
【請求項５２】
前記第１のインジケータが、少なくともＴ２ＰＩｎｆｌｏｗ割り振りの機能であるインジケータ、またはＴ２ＰＩｎｆｌｏｗ割り振りのようなインジケータを備える、
請求項５０に記載のワイヤレス通信デバイス。
【請求項５３】
ワイヤレス通信システムにおけるリバースリンクスループットを高める方法であって、
第１のキャリア帯域幅および第２のキャリア帯域幅を識別することと、ここで、前記第２のキャリア帯域幅は、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することと
を備える方法。
【請求項５４】
前記調整された送信ブランキングは、ハードブランキングまたはソフトブランキングのうちの少なくとも１つを備える、
請求項５３に記載の方法。
【請求項５５】
リバースリンクスループットを高めるように構成されるワイヤレス通信デバイスであって、
第１のキャリア帯域幅および第２のキャリア帯域幅を識別することと、ここで、前記第２のキャリア帯域幅が、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと、
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することと
を行うように構成される少なくとも１つのプロセッサと、
前記少なくとも１つのプロセッサに結合される少なくとも１つのメモリと
を備えるワイヤレス通信デバイス。
【請求項５６】
前記調整された送信ブランキングは、ハードブランキングまたはソフトブランキングのうちの少なくとも１つを備える、請求項５５に記載のワイヤレス通信デバイス。
【請求項５７】
ワイヤレス通信システムにおけるリバースリンクスループットを高める方法であって、
第１のキャリア帯域幅および第２のキャリア帯域幅を識別することと、ここで、前記第２のキャリア帯域幅は、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと
を備え、前記送信することは、少なくとも前記第１の送信されたインジケータに基づいて前記第１のキャリア帯域幅にわたる前記リバースリンク上でのハード送信ブランキングを調整することを備える、
方法。
【請求項５８】
リバースリンクスループットを高めるように構成されるワイヤレス通信デバイスであって、
第１のキャリア帯域幅および第２のキャリア帯域幅を識別することと、ここで、前記第２のキャリア帯域幅が、前記第１のキャリア帯域幅に少なくとも部分的にオーバーラップし、前記第１のキャリア帯域幅は、通常キャリア帯域幅であり、前記第２のキャリア帯域幅がフレキシブルキャリア帯域幅である、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと、
少なくとも前記第１のインジケータを送信することの一部として、少なくとも前記第１の送信されたインジケータに基づいて前記第１のキャリア帯域幅にわたる前記リバースリンク上でのハード送信ブランキングを調整することと
を行うように構成される少なくとも１つのプロセッサと、
前記少なくとも１つのプロセッサに結合される少なくとも１つのメモリと
を備える、
ワイヤレス通信デバイス。
【請求項５９】
ワイヤレス通信システムにおけるリバースリンクスループットを高める方法であって、
第１のキャリア帯域幅にわたるリバースリンク上での送信ブランキングを調整するために少なくとも第１のインジケータを受信することと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することと
を備え、前記第１のキャリア帯域幅は、通常キャリア帯域幅であり、前記第２のキャリア帯域幅がフレキシブルキャリア帯域幅であり、前記送信ブランキングは、少なくとも前記第１の受信されたインジケータを利用して前記第１のキャリア帯域幅にわたる前記リバースリンク上でのハード送信ブランキングを実行することを備える、
方法。
【請求項６０】
リバースリンクスループットを高めるように構成されるワイヤレス通信デバイスであって、
第１のキャリア帯域幅にわたるリバースリンク上での送信ブランキングを調整するために少なくとも第１のインジケータを受信することと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することと、ここで前記第１のキャリア帯域幅は、通常キャリア帯域幅であり、前記第２のキャリア帯域幅がフレキシブルキャリア帯域幅である、
少なくとも前記第１の受信されたインジケータを利用することの一部として、前記第１のキャリア帯域幅にわたる前記リバースリンク上でのハード送信ブランキングを実行することと、
を行うように構成される少なくとも１つのプロセッサと、
前記少なくとも１つのプロセッサに結合される少なくとも１つのメモリと
を備えるワイヤレス通信デバイス。
【発明の詳細な説明】
【関連出願】
【０００１】
関連出願の相互参照  
本特許出願は、２０１１年１１月７日に出願された「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題される米国特許仮出願第６１／５５６，７７７号に対する優先権を主張するものであり、この米国特許仮出願第６１／５５６，７７７号は、本出願の譲受人に譲渡されており、参照によって本明細書に明示的に組み込まれる。本特許出願はまた、２０１１年１２月９日に出願された「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題される米国特許仮出願第６１／５６８，７４２号に対する優先権を主張するものであり、この米国特許仮出願第６１／５６８，７４２号は、本出願の譲受人に譲渡されており、参照によって本明細書に明示的に組み込まれる。
【背景技術】
【０００２】
様々なタイプの通信コンテンツ、たとえば、音声、ビデオ、パケットデータ、メッセージング、ブロードキャストなどを提供するために、ワイヤレス通信システムが広く展開される。これらのシステムは、利用可能なシステムリソース（たとえば、時間、周波数、および電力）を共有することによって複数のユーザとの通信をサポートすることができるマルチプルアクセスシステムであることが可能である。そのようなマルチプルアクセスシステムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムがある。
【０００３】
サービスプロバイダは、典型的には、特定の地理的な領域における排他的な使用のために周波数スペクトルのブロックを割り振られる。周波数のこれらのブロックは、一般には、マルチプルアクセステクノロジーが使用されるかどうかを問わずに規制者によって割り当てられる。ほとんどのケースにおいては、これらのブロックは、チャネル帯域幅の整数倍ではなく、したがって、スペクトルのうちの利用されない部分が存在する場合がある。ワイヤレスデバイスの使用が増大してきているのにつれて、このスペクトルに対する需要、およびこのスペクトルの価値も、一般に急増してきている。それにもかかわらず、いくつかのケースにおいては、ワイヤレス通信システムは、割り振られるスペクトルのうちの複数の部分を利用しない場合がある。なぜなら、それらの部分は、標準または通常波形に適合するほど十分に大きくないからである。ＬＴＥ標準の開発者は、たとえば、その問題を認識して、６つの別々のシステム帯域幅、すなわち、１．４、３、５、１０、１５、および２０ＭＨｚをサポートすることを決定した。これは、その問題に対する１つの部分的なソリューションを提供することができる。加えて、それらの別々のシステム帯域幅は、典型的にはオーバーラップすることがなく、これは、干渉を回避する上で役立つことができる。
【発明の概要】
【０００４】
リバースリンクブランキングを使用した複数のワイヤレスシステムの調整によってリバースリンクスループットを高めるための方法、システム、およびデバイスが提供される。いくつかの実施形態は、別のキャリア帯域幅の帯域幅と少なくとも部分的にオーバーラップする１つのキャリア帯域幅の帯域幅を利用することを含む。このオーバーラップは、干渉をもたらす可能性がある。他のオーバーラップするキャリア帯域幅に関するスループットを高めるためにキャリア帯域幅のうちの少なくとも１つの上でのリバースリンク送信ブランキングを調整するようモバイルデバイスなどのデバイスに促す目的で、様々なインジケータが利用されることが可能である。たとえば、基地局は、送信ブランキングを促すために、そのようなインジケータをモバイルデバイスへ送信することができる。いくつかの実施形態はまた、他のキャリア帯域幅の送信ブランキング中にオーバーラップするキャリア帯域幅に関する送信電力を増大させることを含む。いくつかの実施形態においては、リバースリンクブランキングは、通常帯域幅キャリアに部分的にオーバーラップするフレキシブルキャリア帯域幅上でのリバースリンクスループットを高めることを容易にするために通常キャリア帯域幅上で生じる。
【０００５】
フレキシブルキャリア帯域幅システムは、フレキシブル波形を利用して、スペクトルのうちで、通常波形に適合するほど十分に大きくない場合がある部分を利用することができるワイヤレス通信システムを含むことができる。フレキシブルキャリア帯域幅システムは、通常キャリア帯域幅システムに対するフレキシブルキャリア帯域幅システムの時間またはチップレートを拡張する（dilate）こと、またはスケールダウンすることを通じて、通常キャリア帯域幅システムに対して生成されることが可能である。いくつかの実施形態は、フレキシブルキャリア帯域幅システムの時間またはチップレートを拡大すること、またはスケールアップすることを通じて、フレキシブル波形の帯域幅を増大させる。フレキシブルキャリア帯域幅は、フレキシブル帯域幅キャリアと呼ばれることも可能である。
【０００６】
いくつかの実施形態は、ワイヤレス通信システムにおけるリバースリンクスループットを高める方法を含む。この方法は、第１のキャリア帯域幅および第２のキャリア帯域幅を識別することであって、第２のキャリア帯域幅が、第１のキャリア帯域幅に少なくとも部分的にオーバーラップすることと、少なくとも第１のキャリア帯域幅または第２のキャリア帯域幅上でのアクティビティーレベルを判定することと、第２のキャリア帯域幅に対して第１のキャリア帯域幅にわたるリバースリンク上での送信ブランキングを調整するために、判定された１つまたは複数のアクティビティーレベルに基づいて少なくとも第１のインジケータを送信することとを含むことができる。
【０００７】
ワイヤレス通信システムにおけるリバースリンクスループットを高める方法は、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを送信することを含むことができる。第２のキャリア帯域幅に対して第１のキャリア帯域幅にわたるリバースリンク上での送信ブランキングを調整するために、判定された１つまたは複数のアクティビティーレベルに基づいて少なくとも第１のインジケータを送信することは、少なくとも第１の送信されたインジケータに基づいて第１のキャリア帯域幅にわたるリバースリンク上でのハード送信ブランキングを調整することを含むことができる。第２のキャリア帯域幅に対して第１のキャリア帯域幅にわたるリバースリンク上での送信ブランキングを調整するために、判定された１つまたは複数のアクティビティーレベルに基づいて少なくとも第１のインジケータを送信することは、少なくとも第１の送信されたインジケータに基づいて第１のキャリア帯域幅にわたるリバースリンク上でのソフト送信ブランキングを調整することを含むことができる。
【０００８】
いくつかの実施形態においては、調整された送信ブランキングは、調整された送信ブランキングのうちで、調整されたソフト送信ブランキングの全期間に満たない部分の間における送信を含む。いくつかの実施形態は、調整されたソフト送信ブランキングを、調整されたハード送信ブランキングへ遷移させることを含む。いくつかの実施形態においては、第１のキャリア帯域幅は通常キャリア帯域幅であり、第２のキャリア帯域幅はフレキシブルキャリア帯域幅である。通常キャリア帯域幅は、フレキシブルキャリア帯域幅に完全にオーバーラップすることが可能である。いくつかの実施形態においては、少なくとも第１のキャリア帯域幅または第２のキャリア帯域幅は、認可されたスペクトルを利用する。いくつかの実施形態においては、第１のキャリア帯域幅および第２のキャリア帯域幅は、別々の無線アクセステクノロジー（ＲＡＴ）を利用する。
【０００９】
いくつかの実施形態においては、第１のインジケータは、少なくともリバースアクティビティービット（ＲＡＢ）の機能であるインジケータ、またはＲＡＢのようなインジケータを含む。いくつかの実施形態においては、第１のインジケータは、少なくともリバースリンクサイレンスデュレーション（ReverseLinkSilenceDuration）の機能であるインジケータ、またはリバースリンクサイレンスデュレーションのようなインジケータを含む。いくつかの実施形態においては、第１のインジケータは、少なくともＴ２ＰＩｎｆｌｏｗ割り振りの機能であるインジケータ、またはＴ２ＰＩｎｆｌｏｗ割り振りのようなインジケータを含む。
【００１０】
調整された送信ブランキングは、ハードブランキングとソフトブランキングの組合せを含むことができる。第１のキャリア帯域幅にわたる調整された送信ブランキングは、スロットレベルで生じることが可能である。第１のインジケータを送信することは、基地局において生じることが可能である。少なくとも第１のインジケータは、１つまたは複数のモバイルデバイスへ送信されることが可能である。第１のキャリア帯域幅にわたるリバースリンク上での送信ブランキングは、第２のキャリア帯域幅にわたる同時送信中に生じるように調整されることが可能である。
【００１１】
いくつかの実施形態は、第２のキャリア帯域幅にわたる電力増大を利用して、少なくとも制御チャネルまたはデータチャネルの少なくともデータレートに関する増大を調整することを含む。いくつかの実施形態は、第１のキャリア帯域幅にわたる調整された送信ブランキングとは異なる時間中に第１のキャリア帯域幅にわたる電力送信増大を調整することを含む。いくつかの実施形態は、第１のキャリア帯域幅が送信を行っていない１つまたは複数のスロット中に第２のキャリア帯域幅にわたる同時送信を調整することを含む。いくつかの実施形態は、第１のキャリア帯域幅にわたる同時送信中に第２のキャリア帯域幅にわたるリバースリンク上での送信ブランキングを調整することを含む。第１のキャリア帯域幅にわたる同時送信中に第２のキャリア帯域幅にわたるリバースリンク上での送信ブランキングを調整することは、少なくとも、第２のキャリア帯域幅に対する第１のキャリア帯域幅の相対的なローディング、または時刻に依存することが可能である。
【００１２】
いくつかの実施形態は、第２のキャリア帯域幅とは異なる第３のキャリア帯域幅を識別することであって、第３のキャリア帯域幅が、第１のキャリア帯域幅に少なくとも部分的にオーバーラップすること、少なくとも第１のキャリア帯域幅もしくは第３のキャリア帯域幅上でのアクティビティーレベルを判定すること、ならびに／または、判定されたアクティビティーレベルに応じて第１のモバイルデバイスからの第１のキャリア帯域幅にわたるリバースリンク上での調整された送信ブランキングを生成するために、判定に基づいて少なくとも第３のインジケータを第１のモバイルデバイスへ送信することを含む。
【００１３】
いくつかの実施形態は、リバースリンクスループットを高めるように構成されるワイヤレス通信システムを含む。このシステムは、第１のキャリア帯域幅および第２のキャリア帯域幅を識別することであって、第２のキャリア帯域幅が、第１のキャリア帯域幅に少なくとも部分的にオーバーラップすることを行うための手段、少なくとも第１のキャリア帯域幅もしくは第２のキャリア帯域幅上でのアクティビティーレベルを判定することを行うための手段、ならびに／または、第２のキャリア帯域幅に対して第１のキャリア帯域幅にわたるリバースリンク上での送信ブランキングを調整するために、判定された１つもしくは複数のアクティビティーレベルに基づいて少なくとも第１のインジケータを送信することを行うための手段を含むことができる。
【００１４】
いくつかの実施形態においては、このワイヤレス通信システムは、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを送信することを行うための手段を含む。このワイヤレス通信システムは、少なくとも第１のインジケータを送信することの一部として、少なくとも第１の送信されたインジケータに基づいて第１のキャリア帯域幅にわたるリバースリンク上でのハード送信ブランキングを調整することを行うための手段を含むことができる。このワイヤレス通信システムは、少なくとも第１のインジケータを送信することの一部として、少なくとも第１の送信されたインジケータに基づいて第１のキャリア帯域幅にわたるリバースリンク上でのソフト送信ブランキングを調整することを行うための手段を含むことができる。
【００１５】
いくつかの実施形態においては、第１のキャリア帯域幅は通常キャリア帯域幅であり、第２のキャリア帯域幅はフレキシブルキャリア帯域幅である。いくつかの実施形態においては、第１のインジケータは、少なくともリバースアクティビティービット（ＲＡＢ）の機能であるインジケータ、またはＲＡＢのようなインジケータを含む。
【００１６】
いくつかの実施形態は、ワイヤレス通信システムにおけるリバースリンクスループットを高めるためのコンピュータプログラム製品を含む。このコンピュータプログラム製品は、第１のキャリア帯域幅および第２のキャリア帯域幅を識別することであり、第２のキャリア帯域幅が、第１のキャリア帯域幅に少なくとも部分的にオーバーラップすることを行うためのコード、少なくとも第１のキャリア帯域幅もしくは第２のキャリア帯域幅上でのアクティビティーレベルを判定することを行うためのコード、ならびに／または、第２のキャリア帯域幅に対して第１のキャリア帯域幅にわたるリバースリンク上での送信ブランキングを調整するために、判定された１つもしくは複数のアクティビティーレベルに基づいて少なくとも第１のインジケータを送信することを行うためのコードを含むことができる非一時的コンピュータ可読媒体を含むことができる。
【００１７】
その非一時的コンピュータ可読媒体は、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを送信することを行うためのコードを含むことができる。その非一時的コンピュータ可読媒体は、少なくとも第１のインジケータを送信することの一部として、少なくとも第１の送信されたインジケータに基づいて第１のキャリア帯域幅にわたるリバースリンク上でのハード送信ブランキングを調整することを行うためのコードを含むことができる。その非一時的コンピュータ可読媒体は、少なくとも第１のインジケータを送信することの一部として、少なくとも第１の送信されたインジケータに基づいて第１のキャリア帯域幅にわたるリバースリンク上でのソフト送信ブランキングを調整することを行うためのコードを含むことができる。いくつかの実施形態においては、第１のキャリア帯域幅は通常キャリア帯域幅であり、第２のキャリア帯域幅はフレキシブルキャリア帯域幅である。いくつかの実施形態においては、第１のインジケータは、少なくともリバースリンクサイレンスデュレーションの機能であるインジケータ、またはリバースリンクサイレンスデュレーションのようなインジケータを備える。
【００１８】
いくつかの実施形態は、リバースリンクスループットを高めるように構成されるワイヤレス通信デバイスを含む。このデバイスは、第１のキャリア帯域幅および第２のキャリア帯域幅を識別することであり、第２のキャリア帯域幅が、第１のキャリア帯域幅に少なくとも部分的にオーバーラップすること、少なくとも第１のキャリア帯域幅もしくは第２のキャリア帯域幅上でのアクティビティーレベルを判定すること、ならびに／または、第２のキャリア帯域幅に対して第１のキャリア帯域幅にわたるリバースリンク上での送信ブランキングを調整するために、判定された１つもしくは複数のアクティビティーレベルに基づいて少なくとも第１のインジケータを送信することを行うように構成される少なくとも１つのプロセッサを含むことができる。このデバイスは、その少なくとも１つのプロセッサに結合される少なくとも１つのメモリを含むこともできる。
【００１９】
いくつかの実施形態においては、その少なくとも１つのプロセッサは、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを送信することを行うようにさらに構成される。その少なくとも１つのプロセッサは、少なくとも第１のインジケータを送信することの一部として、少なくとも第１の送信されたインジケータに基づいて第１のキャリア帯域幅にわたるリバースリンク上でのハード送信ブランキングを調整することを行うようにさらに構成されることが可能である。その少なくとも１つのプロセッサは、少なくとも第１のインジケータを送信することの一部として、少なくとも第１の送信されたインジケータに基づいて第１のキャリア帯域幅にわたるリバースリンク上でのソフト送信ブランキングを調整することを行うようにさらに構成されることが可能である。いくつかの実施形態においては、第１のキャリア帯域幅は通常キャリア帯域幅であり、第２のキャリア帯域幅はフレキシブルキャリア帯域幅である。いくつかの実施形態においては、第１のインジケータは、少なくともＴ２ＰＩｎｆｌｏｗ割り振りの機能であるインジケータ、またはＴ２ＰＩｎｆｌｏｗ割り振りのようなインジケータを含む。
【００２０】
いくつかの実施形態は、ワイヤレス通信システムにおけるリバースリンクスループットを高める方法を含む。この方法は、第１のキャリア帯域幅にわたるリバースリンク上での送信ブランキングを調整するために少なくとも第１のインジケータを受信すること、および／または、第１のキャリア帯域幅に少なくとも部分的にオーバーラップする第２のキャリア帯域幅にわたる同時送信中に第１のキャリア帯域幅にわたるリバースリンク上での送信ブランキングを調整するために少なくとも第１の受信されたインジケータを利用することを含むことができる。
【００２１】
いくつかの実施形態においては、第１のキャリア帯域幅送信ブランキングに部分的にオーバーラップする第２のキャリア帯域幅にわたる同時送信中に第１のキャリア帯域幅にわたるリバースリンク上での送信ブランキングを調整するために少なくとも第１の受信されたインジケータを利用することは、少なくとも第１の受信されたインジケータを利用して第１のキャリア帯域幅にわたるリバースリンク上でのハード送信ブランキングを実行することを含む。第１のキャリア帯域幅送信ブランキングに部分的にオーバーラップする第２のキャリア帯域幅にわたる同時送信中に第１のキャリア帯域幅にわたるリバースリンク上での送信ブランキングを調整するために少なくとも第１の受信されたインジケータを利用することは、少なくとも第１の受信されたインジケータを利用して第１のキャリア帯域幅にわたるリバースリンク上でのソフト送信ブランキングを実行することを含むことができる。いくつかの実施形態においては、送信ブランキングは、ハードブランキングとソフトブランキングの組合せを含む。いくつかの実施形態においては、少なくとも第１のインジケータを受信することは、モバイルデバイスにおいて生じる。
【００２２】
いくつかの実施形態においては、第１のキャリア帯域幅は通常キャリア帯域幅であり、第２のキャリア帯域幅はフレキシブルキャリア帯域幅である。第１のインジケータは、少なくともリバースアクティビティービット（ＲＡＢ）の機能であるインジケータ、またはＲＡＢのようなインジケータを含むことができる。第１のインジケータは、少なくともリバースリンクサイレンスデュレーションの機能であるインジケータ、またはリバースリンクサイレンスデュレーションのようなインジケータを含むことができる。第１のインジケータは、少なくともＴ２ＰＩｎｆｌｏｗ割り振りの機能であるインジケータ、またはＴ２ＰＩｎｆｌｏｗ割り振りのようなインジケータを含むことができる。
【００２３】
いくつかの実施形態は、第１のキャリア帯域幅にわたる調整された送信ブランキング中に同時送信のための第２のキャリア帯域幅にわたる送信の電力を増大させることを含む。いくつかの実施形態は、第１のキャリア帯域幅に部分的にオーバーラップする第３のキャリア帯域幅にわたる同時送信中に第１のキャリア帯域幅にわたるリバースリンク上での調整された送信ブランキングを設けるために少なくとも第１のインジケータまたは第２のインジケータを利用することを含む。
【００２４】
いくつかの実施形態は、リバースリンクスループットを高めるように構成されるワイヤレス通信システムを含む。このシステムは、第１のキャリア帯域幅にわたるリバースリンク上での送信ブランキングを調整するために少なくとも第１のインジケータを受信することを行うための手段、および／または、第１のキャリア帯域幅に少なくとも部分的にオーバーラップする第２のキャリア帯域幅にわたる同時送信中に第１のキャリア帯域幅にわたるリバースリンク上での送信ブランキングを調整するために少なくとも第１の受信されたインジケータを利用することを行うための手段を含むことができる。
【００２５】
このワイヤレス通信システムは、少なくとも第１の受信されたインジケータを利用することの一部として、第１のキャリア帯域幅にわたるリバースリンク上でのハード送信ブランキングを実行することを行うための手段を含むことができる。このワイヤレス通信システムは、少なくとも第１の受信されたインジケータを利用することの一部として、第１のキャリア帯域幅にわたるリバースリンク上でのソフト送信ブランキングを実行することを行うための手段を含むことができる。
【００２６】
いくつかの実施形態においては、第１のキャリア帯域幅は通常キャリア帯域幅であり、第２のキャリア帯域幅はフレキシブルキャリア帯域幅である。いくつかの実施形態においては、第１のインジケータは、少なくともリバースアクティビティービット（ＲＡＢ）の機能であるインジケータ、またはＲＡＢのようなインジケータを含む。
【００２７】
いくつかの実施形態は、ワイヤレス通信システムにおけるリバースリンクスループットを高めるためのコンピュータプログラム製品を含み、このコンピュータプログラム製品は、第１のキャリア帯域幅にわたるリバースリンク上での送信ブランキングを調整するために少なくとも第１のインジケータを受信することを行うためのコード、および／または、第１のキャリア帯域幅に少なくとも部分的にオーバーラップする第２のキャリア帯域幅にわたる同時送信中に第１のキャリア帯域幅にわたるリバースリンク上での送信ブランキングを調整するために少なくとも第１の受信されたインジケータを利用することを行うためのコードを含むことができる非一時的コンピュータ可読媒体を含むことができる。
【００２８】
その非一時的コンピュータ可読媒体は、少なくとも第１の受信されたインジケータを利用することの一部として、第１のキャリア帯域幅にわたるリバースリンク上でのハード送信ブランキングを実行することを行うためのコードを含むことができる。その非一時的コンピュータ可読媒体は、少なくとも第１の受信されたインジケータを利用することの一部として、第１のキャリア帯域幅にわたるリバースリンク上でのソフト送信ブランキングを実行することを行うためのコードを含むことができる。
【００２９】
いくつかの実施形態においては、第１のキャリア帯域幅は通常キャリア帯域幅であり、第２のキャリア帯域幅はフレキシブルキャリア帯域幅である。いくつかの実施形態においては、第１のインジケータは、少なくともリバースリンクサイレンスデュレーションの機能であるインジケータ、またはリバースリンクサイレンスデュレーションのようなインジケータを含む。
【００３０】
いくつかの実施形態は、リバースリンクスループットを高めるように構成されるワイヤレス通信デバイスを含む。このデバイスは、第１のキャリア帯域幅にわたるリバースリンク上での送信ブランキングを調整するために少なくとも第１のインジケータを受信すること、および／または、第１のキャリア帯域幅に少なくとも部分的にオーバーラップする第２のキャリア帯域幅にわたる同時送信中に第１のキャリア帯域幅にわたるリバースリンク上での送信ブランキングを調整するために少なくとも第１の受信されたインジケータを利用することを行うように構成されることが可能である少なくとも１つのプロセッサを含むことができる。このデバイスは、その少なくとも１つのプロセッサに結合される少なくとも１つのメモリを含むことができる。
【００３１】
その少なくとも１つのプロセッサは、少なくとも第１の受信されたインジケータを利用することの一部として、第１のキャリア帯域幅にわたるリバースリンク上でのハード送信ブランキングを実行することを行うように構成されることが可能である。その少なくとも１つのプロセッサは、少なくとも第１の受信されたインジケータを利用することの一部として、第１のキャリア帯域幅にわたるリバースリンク上でのソフト送信ブランキングを実行することを行うように構成されることが可能である。いくつかの実施形態においては、第１のキャリア帯域幅は通常キャリア帯域幅であり、第２のキャリア帯域幅はフレキシブルキャリア帯域幅である。いくつかの実施形態においては、第１のインジケータは、少なくともＴ２ＰＩｎｆｌｏｗ割り振りの機能であるインジケータ、またはＴ２ＰＩｎｆｌｏｗ割り振りのようなインジケータを含む。
【００３２】
上述の内容は、以降の詳細な説明がよりよく理解されることが可能になることを目的として、本開示による例の機能および技術的な利点をかなり大まかに概説する。さらなる機能および利点は、以降で説明されることになる。開示される概念および具体的な例は、本開示の同じ目的を実行するために修正を行うまたは他の構造を設計するための基礎として容易に利用されることが可能である。そのような均等な構造は、添付の特許請求の範囲の趣旨および範囲から逸脱するものではない。本明細書において開示されるコンセプトの特徴であると考えられる機能は、それらの編成とオペレーション方法の両方に関して、関連付けられる利点とともに、添付の図と関連させて考察される場合に、以降の説明からよりよく理解されるであろう。図のうちの各々は、特許請求の範囲の限定の定義としてではなく、例示および説明の目的で提供されるにすぎない。
【図面の簡単な説明】
【００３３】
本発明の特質および利点のさらなる理解は、下記の図面への参照によって実現されることが可能である。添付の図においては、同様のコンポーネントどうしまたは機能どうしは、同じ参照ラベルを有することができる。さらに、同じタイプの様々なコンポーネントどうしは、参照ラベルの後にダッシュを付けること、および同様のコンポーネントどうしの間において区別を行う第２のラベルによって区別されることが可能である。本明細書において第１の参照ラベルのみが使用される場合には、その説明は、第２の参照ラベルにかかわらずに、同じ第１の参照ラベルを有する同様のコンポーネントのうちの任意のコンポーネントに適用可能である。
【図１】様々な実施形態によるワイヤレス通信システムを示すブロック図。
【図２Ａ】様々な実施形態による、スペクトルのうちで、通常波形に適合するほど十分に広くない部分にフレキシブル波形が適合するワイヤレス通信システムの一例を示す図。
【図２Ｂ】様々な実施形態による、スペクトルのうちで、帯域の端に近い部分にフレキシブル波形が適合するワイヤレス通信システムの一例を示す図。
【図２Ｃ】様々な実施形態による、フレキシブル波形が通常波形に部分的にオーバーラップするワイヤレス通信システムの一例を示す図。
【図２Ｄ】様々な実施形態による、フレキシブル波形が通常波形によって完全にオーバーラップするワイヤレス通信システムの一例を示す図。
【図２Ｅ】様々な実施形態による、１つのフレキシブル波形が通常波形によって完全にオーバーラップし、別のフレキシブル波形が通常波形に部分的にオーバーラップするワイヤレス通信システムの一例を示す図。
【図２Ｆ】様々な実施形態による、１つの通常波形が別の通常波形に部分的にオーバーラップするワイヤレス通信システムの一例を示す図。
【図３】様々な実施形態によるワイヤレス通信システムを示すブロック図。
【図４】様々な実施形態による、リバースリンクスループットを高めるように構成されるデバイスを示すブロック図。
【図５】様々な実施形態による、リバースリンクスループットを高めるように構成されるデバイスを示すブロック図。
【図６】様々な実施形態によるワイヤレス通信システムを示すブロック図。
【図７】様々な実施形態によるモバイルデバイスを示すブロック図。
【図８】様々な実施形態による、基地局とモバイルデバイスとを含むワイヤレス通信システムを示すブロック図。
【図９Ａ】様々な実施形態による、ワイヤレス通信システムにおけるリバースリンクスループットを高めるための方法を示す流れ図。
【図９Ｂ】様々な実施形態による、ワイヤレス通信システムにおけるリバースリンクスループットを高めるための方法を示す流れ図。
【図９Ｃ】様々な実施形態による、ワイヤレス通信システムにおけるリバースリンクスループットを高めるための方法を示す流れ図。
【図１０Ａ】様々な実施形態による、ワイヤレス通信システムにおける高められたリバースリンクスループットのための方法を示す流れ図。
【図１０Ｂ】様々な実施形態による、ワイヤレス通信システムにおける高められたリバースリンクスループットのための方法を示す流れ図。
【図１０Ｃ】様々な実施形態による、ワイヤレス通信システムにおける高められたリバースリンクスループットのための方法を示す流れ図。
【発明を実施するための形態】
【００３４】
リバースリンクブランキングを使用した複数のワイヤレスシステムの調整によってリバースリンクスループットを高めるための方法、システム、およびデバイスが提供される。いくつかの実施形態は、別のキャリア帯域幅の帯域幅と少なくとも部分的にオーバーラップする１つのキャリア帯域幅の帯域幅を利用することを含む。このオーバーラップは、干渉をもたらす可能性がある。他のオーバーラップするキャリア帯域幅に関するスループットを高めるためにキャリア帯域幅のうちの少なくとも１つの上でのリバースリンク送信ブランキングを調整するようモバイルデバイスなどのデバイスに促す目的で、様々なインジケータが利用されることが可能である。たとえば、基地局は、送信ブランキングを促すために、そのようなインジケータをモバイルデバイスへ送信することができる。いくつかの実施形態はまた、他のキャリア帯域幅の送信ブランキング中にオーバーラップするキャリア帯域幅に関する送信電力を増大させることを含む。いくつかの実施形態においては、リバースリンクブランキングは、通常帯域幅キャリアに少なくとも部分的にオーバーラップするフレキシブルキャリア帯域幅上でのリバースリンクスループットを高めることを容易にするために通常キャリア帯域幅上で生じる。
【００３５】
いくつかの実施形態は、ハードブランキングおよび／またはソフトブランキングを利用することができる。たとえば、いくつかの実施形態は、そのシステム内の１つまたは複数のスロットに関してデータがまったくスケジュールされていない１つのシステムにおいてハードブランキングを利用することができる。いくつかのケースにおいては、パイロットおよびＭＡＣ送信が、空のスロット内として、それらのスロット内で依然として生じることが可能である。ソフトブランキングが含むことができる状況として、ある基地局が、たとえば、スロットのうちのデータ部分において完全にサイレントであるとは限らない場合がある一方で、その基地局は、たとえば、ソフトブランキングがないならばその基地局が有するであろうよりも少ない送信を行うことができる。ソフトブランキングは、たとえば、ブランキング持続時間の少なくとも１つの部分にわたる少なくとも１つの優先フローまたは遅延センシティブフローの送信を含むことができる。ソフトブランキングは、送信の電力を低減させることを含むことができる。ソフトブランキングは、特定のチャネルの電力を低減させることを含むことができる。
【００３６】
フレキシブルキャリア帯域幅システムは、フレキシブル波形を利用して、スペクトルのうちで、通常波形に適合するほど十分に大きくない場合がある部分を利用することができるワイヤレス通信システムを含むことができる。フレキシブルキャリア帯域幅システムは、通常キャリア帯域幅システムに対するフレキシブルキャリア帯域幅システムの時間またはチップレートを拡張すること、またはスケールダウンすることを通じて、通常キャリア帯域幅システムに対して生成されることが可能である。いくつかの実施形態は、フレキシブル帯域幅システムの時間またはチップレートを拡大すること、またはスケールアップすることを通じて、フレキシブル波形の帯域幅を増大させる。
【００３７】
本明細書において説明される技術は、ＣＤＭＡ、ＴＤＭＡ、ＦＤＭＡ、ＯＦＤＭＡ、ＳＣ−ＦＤＭＡ、ピアツーピア、および他のシステムなどの様々なワイヤレス通信システムのために使用されることが可能である。「システム」および「ネットワーク」という用語は、しばしば交換可能に使用される。ＣＤＭＡシステムは、無線テクノロジー、たとえば、ＣＤＭＡ２０００、ユニバーサルテレストリアルラジオアクセス（ＵＴＲＡ）などを実施することができる。ＣＤＭＡ２０００は、ＩＳ−２０００、ＩＳ−９５、およびＩＳ−８５６標準をカバーする。ＩＳ−２０００リリース０およびＡは、一般にはＣＤＭＡ２０００  １Ｘ、１Ｘなどと呼ばれる。ＩＳ−８５６（ＴＩＡ−８５６）は、一般にはＣＤＭＡ２０００  １ｘＥＶ−ＤＯ、ハイレートパケットデータ（ＨＲＰＤ）などと呼ばれる。ＵＴＲＡは、ワイドバンドＣＤＭＡ（ＷＣＤＭＡ（登録商標））およびＣＤＭＡのその他の変形を含む。ＴＤＭＡシステムは、グローバルシステムフォーモバイルコミュニケーションズ（ＧＳＭ（登録商標））などの無線テクノロジーを実施することができる。ＯＦＤＭＡまたはＯＦＤＭシステムは、無線テクノロジー、たとえば、ウルトラモバイルブロードバンド（ＵＭＢ）、進化型ＵＴＲＡ（Ｅ−ＵＴＲＡ）、ＩＥＥＥ  ８０２．１１（ＷｉＦｉ（登録商標））、ＩＥＥＥ  ８０２．１６（ＷｉＭＡＸ（登録商標））、ＩＥＥＥ  ８０２．２０、フラッシュＯＦＤＭなどを実施することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名付けられる組織からのドキュメントにおいて説明される。ＣＤＭＡ２０００およびＵＭＢは、「第３世代パートナーシッププロジェクト２」（３ＧＰＰ２）と名付けられる組織からのドキュメントにおいて説明される。本明細書において説明される技術は、上述のシステムおよび無線テクノロジー、ならびに他のシステムおよび無線テクノロジーのために使用されることが可能である。
【００３８】
したがって、以降の説明は、例を提供しており、特許請求の範囲において示される範囲、適用可能性、または構成を限定するものではない。本開示の趣旨および範囲から逸脱することなく、論じられる要素の機能およびアレンジにおいて変更が行われることが可能である。様々な実施形態は、必要に応じて、様々な手順またはコンポーネントを省略すること、代用すること、または付加することが可能である。たとえば、説明される方法は、説明される順序とは異なる順序で実行されることが可能であり、様々なステップが付加されること、省略されること、または組み合わされることが可能である。また、特定の実施形態に関して説明される機能が、他の実施形態において組み合わされることも可能である。
【００３９】
はじめに図１を参照すると、ブロック図が、様々な実施形態によるワイヤレス通信システム１００の一例を示す。システム１００は、基地局１０５と、モバイルデバイス１１５と、基地局コントローラ１２０と、コアネットワーク１３０とを含む（コントローラ１２０は、いくつかの実施形態においては、コアネットワーク１３０内に統合されることが可能であり、いくつかの実施形態においては、コントローラ１２０は、基地局１０５内に統合されることが可能である）。システム１００は、複数のキャリア（別々の周波数の波形信号）上でのオペレーションをサポートすることができる。マルチキャリア送信機は、変調された信号どうしを同時に複数のキャリア上で送信することができる。それぞれの変調された信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであることが可能である。それぞれの変調された信号は、別々のキャリア上で送信されることが可能であり、制御情報（たとえば、パイロット信号）、オーバーヘッド情報、データなどを搬送することができる。システム１００は、ネットワークリソースを効率よく割り振ることができるマルチキャリアＬＴＥネットワーク（multi-carrier LTE network）であることが可能である。
【００４０】
モバイルデバイス１１５は、任意のタイプの移動局、モバイルデバイス、アクセス端末、サブスクライバーユニット、またはユーザ機器であることが可能である。モバイルデバイス１１５は、セルラー電話およびワイヤレス通信デバイスを含むことができるが、携帯情報端末（ＰＤＡ）、スマートフォン、他のハンドヘルドデバイス、ネットブック、ノート型コンピュータなどを含むこともできる。したがって、モバイルデバイスという用語は、特許請求の範囲を含めて、以降では、任意のタイプのワイヤレスまたはモバイル通信デバイスを含むように広く解釈されるべきである。
【００４１】
基地局１０５は、基地局アンテナを介してモバイルデバイス１１５とワイヤレスに通信することができる。基地局１０５は、複数のキャリアを介してコントローラ１２０の制御のもとでモバイルデバイス１１５と通信するように構成されることが可能である。基地局１０５サイトの各々は、それぞれの地理的なエリアに関する通信カバレッジを提供することができる。いくつかの実施形態においては、基地局１０５は、ＮｏｄｅＢ、ｅＮｏｄｅＢ、ホームＮｏｄｅＢ、および／またはホームｅＮｏｄｅＢと呼ばれることが可能である。ここでの各基地局１０５に関するカバレッジエリアは、１１０−ａ、１１０−ｂ、または１１０−ｃとして識別される。１つの基地局に関するカバレッジエリアは、複数のセクタ（図示されていないが、そのカバレッジエリアの一部分のみを構成する）へと区分されることが可能である。システム１００は、別々のタイプ（たとえば、マクロ基地局、ミクロ基地局、フェムト基地局、および／またはピコ基地局）の基地局１０５を含むことができる。
【００４２】
モバイルデバイス１１５、基地局１０５、コアネットワーク１３０、および／またはコントローラ１２０など、システム１００の様々な側面は、様々な実施形態に従ってフレキシブル帯域幅および波形を利用するように構成されることが可能である。システム１００は、たとえば、モバイルデバイス１１５と基地局１０５との間における送信１２５を示す。送信１２５は、モバイルデバイス１１５から基地局１０５へのアップリンクおよび／もしくはリバースリンク送信、ならびに／または基地局１０５からモバイルデバイス１１５へのダウンリンクおよび／もしくはフォワードリンク送信を含むことができる。送信１２５は、フレキシブル波形および／または通常波形を含むことができる。通常波形は、レガシーおよび／または通常波形と呼ばれることも可能である。
【００４３】
モバイルデバイス１１５、基地局１０５、コアネットワーク１３０、および／またはコントローラ１２０など、システム１００の様々な側面は、様々な実施形態に従ってフレキシブル帯域幅および波形を利用するように構成されることが可能である。たとえば、システム１００の様々な側面は、スペクトルのうちで、通常波形に適合するほど十分に大きくない場合がある部分を利用することができる。モバイルデバイス１１５、基地局１０５、コアネットワーク１３０、および／またはコントローラ１２０などのデバイスは、フレキシブル帯域幅および／または波形を生成および／または利用するためにチップレートおよび／またはスケーリングファクタを適合させるように構成されることが可能である。システム１００のいくつかの態様は、フレキシブルサブシステム（flexible subsystem）（特定のモバイルデバイス１１５および／または基地局１０５など）を形成することができ、そのフレキシブルサブシステムは、通常のサブシステムの時間に対してそのフレキシブルサブシステムの時間を拡張すること、またはスケールダウンすることを通じて、（他のモバイルデバイス１１５および／または基地局１０５を使用して実装されることが可能である）通常のサブシステムに対して生成されることが可能である。
【００４４】
いくつかの実施形態においては、モバイルデバイス１１５、基地局１０５、コアネットワーク１３０、および／またはコントローラ１２０など、システム１００の様々な側面は、リバースリンクブランキングを使用した複数のワイヤレスシステムの調整によってリバースリンクスループットを高めるように構成されることが可能である。上述したように、フレキシブル波形の帯域幅は、通常波形の帯域幅とオーバーラップすることが可能である。基地局１０５および／またはモバイルデバイス１１５は、オーバーラップするフレキシブル帯域幅システムに関するスループットを高めるために通常帯域幅システム上でのリバースリンクブランキングを利用するようモバイルデバイス１１５などのデバイスに促す目的で、様々なインジケータを利用することができる。いくつかの実施形態においては、リバースリンクブランキングは、フレキシブル帯域幅システム上で生じることも可能である。いくつかの実施形態は、フレキシブル帯域幅システム上でなど、リバースリンクスループットを高めるためにリバースリンク上での電力ブースティング（power boosting）を利用することもできる。
【００４５】
いくつかの実施形態は、フレキシブル波形および／または通常波形を生成することができるモバイルデバイスおよび／または基地局を含むことができる。フレキシブル波形は、通常波形よりも少ない帯域幅を占めることが可能である。たとえば、帯域端において、通常波形を配置するほど十分な利用可能なスペクトルがない場合がある。いくつかの実施形態におけるフレキシブル波形に関しては、時間が拡張されるにつれて、波形によって占められる周波数が低下し、したがって、通常波形に適合するほど十分に広くない場合があるスペクトルにフレキシブル波形を適合させることが可能になる。フレキシブル波形は、いくつかの実施形態においては、スケーリングファクタを使用することを通じて生成されることも可能である。他の実施形態は、レートまたはチップレートを変更すること（たとえば、スプレッディングファクタは変化することが可能である）を通じて、スペクトルの一部に適合するフレキシブル波形を生成することができる。いくつかの実施形態は、チップレートを変更するために、またはスケーリングファクタを利用するために、処理の周波数を変更することができる。処理の周波数を変更することは、インターポレーションレート、インタラプトレート、および／またはデシメーションレートを変更することを含むことができる。いくつかの実施形態においては、フィルタリングを通じて、デシメーションによって、ならびに／または、ＡＤＣ、ＤＡＣ、および／もしくはオフラインクロックの周波数を変更することによって、チップレートが変更されることが可能であり、またはスケーリングファクタが利用されることが可能である。少なくとも１つのクロックの周波数を変更するために、デバイダが使用されることが可能である。
【００４６】
いくつかの実施形態においては、フレキシブルシステムまたは波形は、フラクショナルシステムまたは波形であることが可能である。フラクショナルシステムおよび／または波形は、たとえば帯域幅を変更することが可能であり、または変更しないことも可能である。フラクショナルシステムまたは波形は、通常のシステムまたは波形（たとえば、Ｎ＝１のシステム）よりも多くの可能性を提供することができるので、フレキシブルであることが可能である。通常のシステムまたは波形は、標準および／またはレガシーシステムまたは波形を参照することができる。
【００４７】
図２Ａは、スペクトルのうちで、通常波形２２０−ａに適合するほど十分に広くない部分にフレキシブル波形２１０−ａが適合する、様々な実施形態による、基地局１０５−ａとモバイルデバイス１１５−ａとを伴うワイヤレス通信システム２００−ａの一例を示す。システム２００−ａは、図１のシステム１００の一例であることが可能である。いくつかの実施形態においては、フレキシブル波形２１０−ａは、基地１０５−ａおよび／またはモバイルデバイス１１５−ａが送信することができる通常波形２２０−ａとオーバーラップすることが可能である。いくつかのケースにおいては、通常波形２２０−ａは、フレキシブル波形２１０−ａに完全にオーバーラップすることが可能である。いくつかの実施形態は、複数のフレキシブル波形２１０を利用することもできる。いくつかの実施形態においては、別の基地局および／またはモバイルデバイス（図示せず）が、通常波形２２０−ａおよび／またはフレキシブル波形２１０−ａを送信することができる。
【００４８】
いくつかの実施形態においては、モバイルデバイス１１５−ａおよび／または基地局１０５−ａは、シグナリングおよびデータトラフィックを別々のフレキシブル帯域幅キャリア２１０へと分割するように構成されることが可能であり、それによって、割り当てられるリソースは、別々のトラフィックパターンに合わせてカスタマイズされることが可能である。基地局１０５−ａは、通常波形２２０−ａおよび／またはフレキシブル波形２１０−ａに関してフォワードリンクブランキングおよび／または電力ブースティングを調整するように構成されることが可能である。たとえば、モバイルデバイス１１５−ａと基地局１０５−ａとの間における送信は、通常波形２２０−ａの帯域幅とオーバーラップすることが可能であるフレキシブル波形２１０−ａの帯域幅を利用することができる。いくつかの実施形態においては、モバイルデバイス１１５−ａおよび／または基地局１０５−ａは、リバースリンクブランキングを使用した複数のワイヤレスシステムの調整によってリバースリンクスループットを高めるように構成されることが可能である。基地局１０５−ａは、オーバーラップするフレキシブル波形２１０−ａに関するスループットを高めるために通常波形２２０−ａ上でのリバースリンクブランキングを利用するようモバイルデバイス１１５−ａなどのデバイスに促す目的で、様々なインジケータを利用することができる。いくつかの実施形態においては、リバースリンクブランキングは、フレキシブル波形２１０−ａ上で生じることも可能である。いくつかの実施形態は、フレキシブル波形２１０−ａ上でなど、リバースリンクスループットを高めるためにリバースリンク上での電力ブースティングを利用することもできる。図２Ｂは、スペクトルのうちで、通常波形２２０−ｂが適合することができない、ガード帯域であることが可能である、帯域の端に近い部分にフレキシブル波形２１０−ｂが適合する、基地局１０５−ｂとモバイルデバイス１１５−ｂとを伴うワイヤレス通信システム２００−ｂの一例を示す。システム２００−ｂは、図１のシステム１００の一例であることが可能である。
【００４９】
図２Ｃは、様々な実施形態による、フレキシブル波形２１０−ｃが通常波形２２０−ｃに部分的にオーバーラップするワイヤレス通信システム２００−ｃの一例を示す。システム２００−ｃは、図１のシステム１００の一例であることが可能である。図２Ｄは、様々な実施形態による、フレキシブル波形２１０−ｄが通常波形２２０−ｄによって完全にオーバーラップされるワイヤレス通信システム２００−ｄの一例を示す。システム２００−ｄは、図１のシステム１００の一例であることが可能である。図２Ｅは、様々な実施形態による、１つのフレキシブル波形２１０−ｆが通常波形２２０−ｅによって完全にオーバーラップされ、別のフレキシブル波形２１０−ｅが通常波形２２０−ｅに部分的にオーバーラップするワイヤレス通信システム２００−ｅの一例を示す。システム２００−ｅは、図１のシステム１００の一例であることが可能である。図２Ｆは、様々な実施形態による、１つの通常波形２２０−ｆが別の通常波形２２０−ｇに部分的にオーバーラップするワイヤレス通信システム２００−ｆの一例を示す。システム２００−ｆは、図１のシステム１００の一例であることが可能である。
【００５０】
一般には、第１の波形またはキャリア帯域幅と、第２の波形またはキャリア帯域幅とは、少なくとも１％、２％、および／または５％オーバーラップする場合に、部分的にオーバーラップすると言える。いくつかの実施形態においては、オーバーラップが少なくとも１０％である場合に、部分的なオーバーラップが生じ得る。いくつかの実施形態においては、部分的なオーバーラップは、９９％、９８％、および／または９５％未満であることが可能である。いくつかの実施形態においては、そのオーバーラップは、９０％未満であることが可能である。いくつかのケースにおいては、フレキシブル波形またはキャリア帯域幅は、図２のシステム２００−ｄにおいて見られるような別の波形またはキャリア帯域幅内に完全に含まれることが可能である。このオーバーラップは、２つの波形またはキャリア帯域幅が完全には一致していないので、部分的なオーバーラップを依然として反映する。一般には、部分的なオーバーラップとは、複数の波形またはキャリア帯域幅が完全には一致していない（すなわち、それらのキャリア帯域幅は、同じではない）ということを意味することができる。
【００５１】
いくつかの実施形態は、電力スペクトル密度（ＰＳＤ）に基づくオーバーラップの様々な定義を利用することができる。たとえば、ＰＳＤに基づくオーバーラップの１つの定義が、第１のキャリアに関する下記のオーバーラップ方程式（overlap equation）において示される。
【数１】
0005763279.tif 000002
【００５２】
この方程式においては、ＰＳＤ1（ｆ）は、第１の波形またはキャリア帯域幅に関するＰＳＤであり、ＰＳＤ2（ｆ）は、第２の波形またはキャリア帯域幅に関するＰＳＤである。これらの２つの波形またはキャリア帯域幅が一致する場合には、オーバーラップ方程式は１００％等しいと言える。第１の波形またはキャリア帯域幅と、第２の波形またはキャリア帯域幅とが、少なくとも部分的にオーバーラップする場合には、オーバーラップ方程式は１００％等しくはないと言える。たとえば、オーバーラップ方程式は、いくつかの実施形態においては、結果として１％、２％、５％、および／または１０％以上の部分的なオーバーラップをもたらす場合がある。オーバーラップ方程式は、いくつかの実施形態においては、結果として９９％、９８％、９５％、および／または９０％以下の部分的なオーバーラップをもたらす場合がある。第１の波形またはキャリア帯域幅が、通常波形またはキャリア帯域幅であり、第２の波形またはキャリア波形が、通常帯域幅またはキャリア帯域幅内に含まれるフレキシブル波形またはキャリア帯域幅であるケースにおいては、オーバーラップ方程式は、通常帯域幅に比較されたフレキシブル帯域幅の比率（パーセンテージとして記載される）を表すことができるということに言及することができる。さらに、オーバーラップ方程式は、そのオーバーラップ方程式がどのキャリア帯域幅の観点に関して定式化されるかに依存することが可能である。いくつかの実施形態は、オーバーラップの他の定義を利用することができる。いくつかのケースにおいては、下記のような平方根演算を利用して、別のオーバーラップが定義されることが可能である。
【数２】
0005763279.tif 000003
【００５３】
他の実施形態は、複数のオーバーラップするキャリアを考慮することができる他のオーバーラップ方程式を利用することができる。
【００５４】
図３は、様々な実施形態による、基地局１０５−ｃと、モバイルデバイス１１５−ｃおよび１１５  ｄとを伴うワイヤレス通信システム３００を示す。いくつかの実施形態においては、基地局１０５−ｃは、通常キャリア帯域幅および／またはフレキシブルキャリア帯域幅におけるフォワードリンクブランキングおよび／または電力ブースティングを調整するように構成されることが可能である。たとえば、モバイルデバイス１１５−ｃ／１１５−ｄと基地局１０５−ｃとの間における送信３０５−ａおよび／または３０５−ｂは、通常波形の帯域幅とオーバーラップすることが可能であるフレキシブル波形の帯域幅を利用することができ、部分的にオーバーラップする通常波形どうし、または部分的にオーバーラップするフレキシブル波形どうしなど、他の構成も可能である。基地局１０５−ｃは、干渉の影響を低減する際に役立つことができるリンクブランキングおよび／または電力ブースティングの低減を調整することができる。いくつかの実施形態においては、基地局１０５−ｃは、通常キャリア帯域幅および／またはフレキシブルキャリア帯域幅におけるリバースリンクブランキングおよび／または電力ブースティングを調整するために、モバイルデバイス１１５−ｃ／１１５−ｄのうちの１つまたは複数との調整を行うことができる。たとえば、基地局１０５−ｃは、第１のキャリア帯域幅および第２のキャリア帯域幅など、複数の帯域幅キャリアを識別するように構成されることが可能である。第２のキャリア帯域幅は、第１のキャリア帯域幅に部分的にオーバーラップすることが可能である。基地局１０５−ｃは、少なくとも第１のキャリア帯域幅または第２のキャリア帯域幅上でのアクティビティーレベルを判定することができる。その判定に基づいて、基地局１０５−ｃは、判定されたアクティビティーレベルに応じてモバイルデバイス１１５−ｃ／１１５−ｄのうちの少なくとも１つからの第１のキャリア帯域幅にわたるリバースリンク上での送信ブランキングを生成するために、第１のインジケータなどのインジケータをモバイルデバイス１１５−ｃ／１１５−ｄのうちの少なくとも１つへ送信することができる。いくつかの実施形態においては、基地局１０５−ｃが、判定された１つまたは複数のアクティビティーレベルに基づいて少なくとも第１のインジケータを送信することは、第２のキャリア帯域幅に対して第１のキャリア帯域幅にわたるリバースリンク上での送信ブランキングを調整するために使用されることが可能である。いくつかの実施形態においては、基地局１０５−ｃは、第１のキャリア帯域幅にわたるリバースリンク上での送信ブランキングを、そのブランキングが第２のキャリア帯域幅にわたる同時送信中に生じるように調整することができる。いくつかの実施形態においては、基地局１０５−ｃは、第１のキャリア帯域幅にわたる送信ブランキング中に第２のキャリア帯域幅にわたる送信電力増大を調整する。たとえば、基地局１０５−ｃは、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを送信することによって���バースリンク電力ブースティング（reverse link power boosting）を調整することができる。電力送信増大は、第２のキャリア帯域幅にわたって送信を行っている可能性があるモバイルデバイス１１５−ｃ／１１５−ｄのうちの１つにおいて生じることが可能である。
【００５５】
モバイルデバイス１１５−ｃ／１１５−ｄと基地局１０５−ｃとの間における送信３０５−ａおよび／または３０５−ｂは、通常波形よりも少ない（または多い）帯域幅を占めるために生成されることが可能であるフレキシブル波形を利用することができる。たとえば、帯域端において、通常波形を配置するほど十分な利用可能なスペクトルがない場合がある。フレキシブル波形に関しては、時間が拡張されるにつれて、波形によって占められる周波数が低下し、したがって、通常波形に適合するほど十分に広くない場合があるスペクトルにフレキシブル波形を適合させることが可能になる。いくつかの実施形態においては、フレキシブル波形は、通常波形に対してスケーリングファクタＮを利用してスケールされることが可能である。スケーリングファクタＮは、多くの異なる値を取ることができ、それらの値は、整数値、たとえば、１、２、３、４、８などを含むが、それらには限定されない。しかしながら、Ｎは整数である必要はない。
【００５６】
いくつかの実施形態は、さらなる用語を利用することができる。新たな単位Ｄが利用されることが可能である。単位Ｄは、拡張される。この単位は、無名数であり、Ｎという値を有する。フレキシブルシステムにおける時間については、「拡張された時間」で述べることができる。例としては、通常の時間における、たとえば１０ｍｓのスロットは、フレキシブル時間（flexible time）における１０Ｄｍｓとして表されることが可能である（注：  通常の時間においてさえ、これは当てはまることになる。なぜなら、通常の時間においてＮ＝１であり、Ｄは１という値を有し、したがって１０Ｄｍｓ＝１０ｍｓであるからである）。時間スケーリングにおいては、ほとんどの「秒」を「拡張された秒」に置き換えることができる。ヘルツにおける周波数は１／ｓであることに留意されたい。
【００５７】
上述のように、フレキシブル波形は、通常波形よりも少ない帯域幅を占める波形であることが可能である。したがって、フレキシブル帯域幅システムにおいては、同じ数のシンボルおよびビットが、通常帯域幅システムと比較して、より長い持続時間にわたって送信されることが可能である。これは、結果としてタイムストレッチングをもたらすことができ、それによって、スロット持続時間、フレーム持続時間などが、スケーリングファクタＮの分だけ増大することができる。スケーリングファクタＮは、フレキシブル帯域幅（ＢＷ）に対する通常帯域幅の比率を表すことができる。したがって、フレキシブル帯域幅システムにおけるデータレートは、（通常のレート×１／Ｎ）に等しいことが可能であり、遅延は、（通常の遅延×Ｎ）に等しいことが可能である。一般には、フレキシブルシステムチャネルＢＷ＝通常のシステムのチャネルＢＷ／Ｎである。遅延×ＢＷは、変わらないままであることが可能である。さらに、いくつかの実施形態においては、フレキシブル波形は、通常波形よりも多い帯域幅を占める波形であることが可能である。
【００５８】
本明細書を通じて、通常のシステム、サブシステム、および／または波形という用語は、１に等しいことが可能であるスケーリングファクタ（たとえば、Ｎ＝１）、または通常のもしくは標準のチップレートを利用することができる実施形態を含むシステム、サブシステム、および／または波形を指すために利用されることが可能である。これらの通常のシステム、サブシステム、および／または波形は、標準および／またはレガシーシステム、サブシステム、および／または波形と呼ばれることも可能である。さらに、フレキシブルシステム、サブシステム、および／または波形は、１に等しくないことが可能であるスケーリングファクタ（たとえば、Ｎ＝２、３、４、８、１／２、１／４など）を利用することができる実施形態を含むシステム、サブシステム、および／または波形を指すために利用されることが可能である。Ｎ＞１の場合、またはチップレートが低減される場合には、波形の帯域幅は減少することが可能である。いくつかの実施形態は、帯域幅を増大させるスケーリングファクタまたはチップレートを利用することができる。たとえば、Ｎ＜１の場合、またはチップレートが増大される場合には、波形は、通常波形よりも大きい帯域幅をカバーするために拡大されることが可能である。フレキシブルシステム、サブシステム、および／または波形は、いくつかのケースにおいては、フラクショナルシステム、サブシステム、および／または波形と呼ばれることも可能である。フラクショナルシステム、サブシステム、および／または波形は、たとえば帯域幅を変更することが可能であり、または帯域幅を変更しないことも可能である。フラクショナルシステム、サブシステム、または波形は、通常のまたは標準のシステム、サブシステム、または波形（たとえば、Ｎ＝１のシステム）よりも多くの可能性を提供することができるので、フレキシブルであることが可能である。フレキシブルシステム、サブシステム、帯域幅、および／または波形は、フレキシブル帯域幅システム、サブシステム、帯域幅、および／または波形と呼ばれることも可能である。フレキシブルシステム、サブシステム、帯域幅、および／または波形は、フレキシブルキャリア帯域幅システム、サブシステム、および／もしくは波形、またはフレキシブル帯域幅キャリアシステム、サブシステム、および／もしくは波形と呼ばれることも可能である。フレキシブル帯域幅キャリアは、フレキシブルキャリア帯域幅と呼ばれることが可能である。
【００５９】
フレキシブル波形は、通常波形よりも少ない帯域幅を占める波形を含むことができる（いくつかの実施形態においては、フレキシブル波形は、通常波形よりも多い帯域幅を占める波形を含むことができる）。たとえば、帯域端において、通常波形を配置するほど十分な利用可能なスペクトルがない場合がある。通常波形どうしとは異なり、通常波形とフレキシブル波形との間には、部分的なまたは完全なオーバーラップが存在することが可能である。フレキシブル波形はシステムキャパシティーを増大させることができるということに留意されたい。オーバーラップの度合いと、フレキシブル波形の帯域幅との間には、トレードオフが存在することが可能である。オーバーラップは、さらなる干渉をもたらす可能性がある。複数の実施形態は、方法、システム、および／またはデバイスを対象とすることが可能であり、干渉を低減することを目的とすることが可能である。
【００６０】
いくつかの実施形態は、リバースリンクブランキングを使用した複数のワイヤレスシステムの調整によってリバースリンクスループットを高めるための方法、システム、および／またはデバイスを含む。上述したように、フレキシブル波形の帯域幅は、通常波形の帯域幅とオーバーラップすることが可能である。このオーバーラップは、さらなる干渉をもたらす可能性がある。オーバーラップするフレキシブル帯域幅システムに関するスループットを高めるために通常帯域幅システム上でのリバースリンクブランキングを利用するようモバイルデバイスなどのデバイスに促す目的で、様々なインジケータが利用されることが可能である。
【００６１】
リバースリンクブランキングは、完全にオーバーラップするまたは部分的にオーバーラップする通常のおよびフレキシブルな（または別のフレキシブルな、または別の通常の）帯域幅システムに関する干渉を軽減する上で役立つことができる。たとえば、複数の実施形態は、完全なまたはフレキシブルな２／３／４Ｇ波形と部分的にまたは完全にオーバーラップするフレキシブルな２／３／４Ｇ波形などの周波数ドメインにおいて部分的にまたは完全にオーバーラップする複数のワイヤレスシステムを含むことができる。別の例は、複数の完全な３Ｇ波形が部分的にオーバーラップする（たとえば、２つのＵＭＴＳキャリアが、５ＭＨｚ未満で分離される、または２つのＣ２Ｋキャリアが、１．２５ＭＨｚ未満で分離される）ことである。これらのケースにおいては、これらのキャリアは、互いに干渉する場合がある。したがって、これらのシステムのパフォーマンスは、低下する場合がある。複数の実施形態は、このパフォーマンス低下を取り扱うことができる方法、システム、および／またはデバイスを提供する。
【００６２】
いくつかの実施形態は、他の目的で設計される場合がある既存のサイレンシングメカニズム（silencing mechanism）を利用することができる。たとえば、サイレンシングは、バックグラウンドノイズ、ライズオーバーサーマル（ＲＯＴ）などを測定するために存在する場合がある。いくつかの実施形態は、リバースリンクブランキングのためにリバースリンクサイレンスデュレーションを利用することができる。リバースリンクサイレンスデュレーションは一般に、サイレンスインターバルの長さを（フレームのユニットで）指定し、そのサイレンスインターバル中には、モバイルデバイスがリバースリンク（ＲＬ）上で送信を行うことを許可されないようにすることができる。従来、サイレンスインターバルは、基地局によってＲＯＴ（ライズオーバーサーマル）をより正確に測定および較正するために使用されることが可能であり、ＲＯＴは、システムローディングのインジケータであり、各モバイルデバイスによって見られる干渉の測定値である。たとえば、ＲＬ  ＭＡＣアルゴリズムは、ＲＬリソースの割り振りをよりよく制御するために、ＲＯＴ測定を使用することができる。一例として、ＲＬ  ＭＡＣは、リバースアクティビティービット（ＲＡＢ）値を判定するために、ＲＯＴ測定を使用する。いくつかのケースにおいては、許可されるレンジは、フレームの０〜３ユニットであることが可能である。
【００６３】
いくつかの実施形態は、リバースリンクブランキングのためのリバースリンクサイレンスピリオド（ReverseLinkSilencePeriod）と同様のツールおよび技術を利用することができる。リバースリンクサイレンスピリオドは、リバースリンクサイレンスインターバルの期間を指定することができる。許可される値は、５４、１０９、２１８、および４３７秒を含むことができる。いくつかの実施形態は、スロットごとに受信されることが可能であるリバースアクティビティービット（ＲＡＢ）と同様のツールおよび技術を利用することを通じてリバースリンクブランキングを生成することができる。ＲＡＢは、ＵＬのアクティビティーをモバイルデバイスに示すために使用されることが可能であり、それによって、それらのモバイルデバイスは、セルを不安定な干渉ポイントに置くことなく自分がどれぐらい多くの電力を出力することができるかを推定することができる。いくつかの実施形態は、短期間（たとえば、４スロット）にわたって取られたＲＡＢの平均を提供することが可能な、およびＴ２ＰＩｎｆｌｏｗ割り振りが増大されるべきかどうかを判定するために使用されるクイックリバースアクティビティービット（Quick Reverse Activity Bit）（ＱＲＡＢ）と同様のツールおよび技術を利用することを通じてリバースリンクブランキングを生成することができる。いくつかの実施形態は、長期間（３８４スロット）にわたって取られたＲＡＢの平均を提供することが可能な、および所与のＭＡＣフローに割り振られることが可能であるＴ２Ｐを判定するために使用されることが可能なフィルタードリバースアクティビティービット（Filtered Reverse Activity Bit）（ＦＲＡＢ）と同様のツールおよび技術を利用することを通じてリバースリンクブランキングを生成することができる。ＦＲＡＢは、所与のセクタに関して−１と１との間における実数によって表されて、ロードレベルを示すことが可能である（−１＝ロードされていない、０＝ロードされる、１＝大量にロードされる）。ＦＲＡＢは、モバイルデバイスごとに計算されることが可能であり、すべてのフローに関して同じであることが可能である。
【００６４】
いくつかの実施形態は、Ｔ２Ｐｉｎｆｌｏｗ割り振りを利用することを通じてリバースリンクブランキングを生成することができる。たとえば、別々のフローに関するモバイルデバイス電力割り振りは、Ｔ２Ｐ割り振りに依存することが可能である。なぜなら、各ＭＡＣフローは、ＱｏＳ要件の別々のセットを伴って生じるためである。したがって、Ｔ２ＰＩｎｆｌｏｗリソース割り振りは、別々のフローごとに異なることが可能である。セクタローディングが増大するにつれて、Ｔ２ＰＩｎｆｌｏｗ割り振りは、フローの優先度の順に低減することが可能であり、たとえば遅延センシティブ低レートフロー（delay-sensitive low rate flow）（ＶｏＩＰ）は、最も影響されにくいものであることが可能である。したがって、Ｔ２ＰＩｎｆｌｏｗ割り振りは、モバイルデバイス内のＱｏＳを考慮することができる。
【００６５】
いくつかの実施形態は、ＲＯＴ測定のためよりも、むしろＲＬ上でのハードブランキングを設けるために、リバースリンクサイレンスデュレーションと同様のツールおよび技術を利用することができる。通常のシステムと、１つまたは複数のフレキシブルシステムとを含む状況を考える。それらの２つの間における部分的なオーバーラップ、またはフレキシブルと通常との極めて完全なオーバーラップが存在する可能性がある。（ＲＬ内の）第１のシステムにおける高水準のローディング中に、第２のシステムが高水準にローディングされない場合には、いくつかの実施形態は、第２のシステムのＲＬ送信においてギャップを設けるために、リバースリンクサイレンスデュレーションと同様のツールおよび技術を利用することができる。これは、通常のセクタがオーバーロードされていない場合でさえ、通常のＲＬ上でのブランキングによって、フレキシブルＲＬに役立つことができ、その逆もまた同様である。ＲＬブランキング（RL blanking）の使用は、スループットを高めるために、またはエラーを少なくするために、スペクトルをクリアアップすることができる。いくつかの実施形態においては、いずれかのシステム上のローディングがしきい値を超えた場合には、オーバーロード制御のための通常のメカニズム（たとえば、ＲＡＢビットを設定すること、およびＴ２Ｐｉｎｆｌｏｗ割り振りを低減することなど）が利用されることが可能である。
【００６６】
いくつかの実施形態においては、リバースリンクサイレンスデュレーションがあまりにも高く設定される場合には（これは、たとえば通常のおよび高いＮフレキシブル（normal and high N flexible）が共存するケースである可能性がある）、それらの時間中にアクセスの試みおよびリバーストラフィックユーザデータが送信されるのを防止することができ、その結果、リバースリンクスループットが低減し、アクセス時間が増大される。リバースリンクサイレンスデュレーションは、既存のフローのＱｏＳ要件を考慮に入れて設定されることが可能である。たとえば、リバースリンクサイレンスデュレーションをより高くする代わりに、リバースリンクサイレンスピリオドがより小さくされることが可能であり、その結果、より短い持続時間のギャップになるが、それらのギャップは、より頻繁に設けられるようになる。
【００６７】
第１のシステムのサイレンスピリオドを利用するために、第２のシステムは、より早くＲＡＢを設定し始めることができる。いくつかの実施形態においては、第１のシステムの来たるサイレンスは、第２のシステムにおいてブロードキャストされることが可能である。現在のリバースリンクサイレンスピリオドおよびリバースリンクサイレンスインターバルのレンジは、様々な実施形態によるＲＬブランキングにとって十分でない場合がある。したがって、いくつかの実施形態においては、サイレンスインターバルレンジが拡大されることが可能である。
【００６８】
いくつかの実施形態は、リバースリンク上でのソフトブランキングを利用することができる。たとえば、現在のシステムおよび他のシステムは、結合されたエンティティーとして見られることが可能であり、両方のシステムにわたって（２つ以上のシステムにわたって、すべてのシステムにわたって）スケジューリングが行われることが可能である。典型的には、システムおよび／またはスケジューラは、１つの特有のキャリア上の端末に関して最適化を行うことができる。ソフトブランキングに関しては、ＲＡＢが設定されることが可能であり、モバイルデバイスは、ＵＬにおいて進行中の多くのアクティビティーがあると考えることができる。システムローディングにおける増大（ＲＡＢは、その増大をモバイルデバイスに示す）に伴って、モバイルデバイスに関するＴ２ＰＩｎｆｌｏｗ割り振りは、フローの優先度の順に低減することが可能である。この種類のソフトブランキングは、ハードブランキングの場合と同様に、完全にはサイレントでないモバイルデバイスを含むことができるが、それらのモバイルデバイスは、ロードされていないシステムにおいて有するであろうよりも少ない送信を行っている（なぜなら、そのシステムは、想定を下回っているからである）。
【００６９】
たとえば、ＲＬ上でのソフトブランキングに関しては、第１のモバイルデバイスがＦＴＰフローとＶｏＩＰフローとを有する場合には、第１のモバイルデバイスは、ＶｏＩＰフローのみに関する割り振りを有することができ、その一方で、ＦＴＰフローのみを有する第２のモバイルデバイスは、ＦＴＰフローに関する割り振りを有することができる。これは、ハードブランキング（モバイルデバイスが、いかなるフローに関するいかなる割り振りも有していない場合）からソフトブランキングへの遷移にも当てはまることができる。そしてしだいに、第１のモバイルデバイスは、自分のＦＴＰフローに関する割り振りを有し始めることができ、第２のモバイルデバイスは、自分のＦＴＰフローに関して、より多くの割り振りを有することができる。
【００７０】
ソフトブランキング持続時間中の他のシステムのパフォーマンスは、ハードブランキング持続時間ほど良好ではない場合がある。しかしながら、ソフトブランキングは、他のシステムの利得と、考慮中のシステム上の制約との間におけるバランスを取ることを試みることができる。またソフトブランキングは、何もしない場合と比較されると、有益である場合がある。
【００７１】
ソフトブランキング中の２つのシステムの間におけるバランスは、モバイルデバイスからいくらかの情報を収集した後に計算されることが可能である。制約されるシステムからは、そのような情報は、それらのバッファ内にどれぐらい多くのデータがあるか、およびこれらのデータが経験することがある許容可能な遅延はどんなものか、リアルタイムアプリケーションにとって、許容可能な最小データレートはどんなものかを含むことができる。恵まれたシステムからは、制約されるシステムが、より低いレートを送信しているだけである可能性があるとすると、どれぐらい多くのデータをモバイルデバイスが有するか、およびどんなデータレートをそれらのモバイルデバイスが達成することができるか。この情報から、全体のスケジューラは、どれぐらい長くソフトブランキングが続くことができるか、および両方のシステム上の各モバイルデバイスのレートが送信を行うべきかを決定することができる。
【００７２】
いくつかの実施形態は、集中型のＴ２ＰＩｎｆｌｏｗと同様のツールおよび技術を利用するリバースリンク上でのソフトブランキングを利用することができる。たとえば、ＤＯにおいては、基地局がＴ２ＰＩｎｆｌｏｗ割り振りを制御する集中型のＴ２ＰＩｎｆｌｏｗ割り振り、またはモバイルデバイスがＴ２ＰＩｎｆｌｏｗ割り振りを制御する自律型のＴ２ＰＩｎｆｌｏｗ割り振り（オペレーションのデフォルトモード）が存在することが可能である。自律型の割り振りは一般に、集中型のＴ２ＰＩｎｆｌｏｗ割り振り制御よりも効率的であることが可能であるが、集中型のスキームは、特定のフローの専用にされる可能性がある利用されていないキャパシティーが存在するケースにおける、より速い割り振りの可能性を有する。
【００７３】
集中型の割り振りは、いくらかのタイムインターバルにわたってＴ２ＰＩｎｆｌｏｗ割り振りを行うおよび／または凍結する許可を使用することができ、この許可は、基地局がそのインターバルにわたってＭＡＣフローリソース割り振りを制御することを可能にする。許可は、基地局のスケジューラが望むだけ頻繁に生じることが可能である。したがって、集中型の割り振りは、どのモバイルデバイスおよびどのフローが許可されるかをよりよく制御するためにソフトブランキング中に使用されることが可能である。また、集中型の割り振りは、ソフトブランキング中に利用されていないキャパシティーへのより迅速な割り振りを有することができるので、ソフトブランキングから通常のオペレーションへの遷移中に使用されることが可能である。ＦＲＡＢに基づく遷移は、集中型の割り振りよりも遅い場合がある。
【００７４】
ＦＲＡＢは、ＲＡＢサンプルの指定されたウィンドウにわたってＲＡＢの値からフィルタリングされ、所与のＭＡＣフローに割り振られることが可能であるＴ２Ｐを判定するために使用されることが可能である。大まかに言えば、ＦＲＡＢは、時間にわたるＲＡＢの平均である。ＦＲＡＢＦｉｌｔｅｒＴＣは、モバイルデバイスがＦＲＡＢを計算するために使用するＩＩＲフィルタ時定数であり、本明細書における許容可能な値は、１２８、２５６、３８４、および５１２スロットである。この時定数が低く設定される場合には、平均は、ローディングにおける突然のスパイク（増大）を生じる傾向が高くなる場合があり、その一方で、この時定数があまりにも長く設定される場合には、平均は、平滑になりすぎる場合があり、ＲＡＢにおける変動が少なく見積もられる場合がある。
【００７５】
同様に、ＱＲＡＢＦｉｌｔｅｒＴＣは、モバイルデバイスがＱＲＡＢを計算するために使用するＩＩＲフィルタ時定数である。許容される値は、４および８スロットである。あまりにも低く設定される場合には、平均は、スパイクを生じる傾向が高くなる場合があり、その結果、ＱＲＡＢがビジーとして検出される可能性が高くなる。あまりにも高く設定される場合には、平均は、平滑になりすぎる場合があり、その結果、ＱＲＡＢがビジーではないとして検出される可能性が高くなり、システム内に余分な干渉をもたらす場合がある。
【００７６】
ソフトＲＬブランキングに関しては、実施形態は、ソフトＲＬブランキングに役立つために、これらの２つの定数の値を思慮深く使用することができる。
【００７７】
オペレーションの自律型のみのモードおよび集中型のみのモードに加えて、いくつかの実施形態は、オペレーションの混合型モードを有することができ、その間には、モバイルデバイスのうちのいくつかは、基地局からの許可を使用しなければならない場合があり、他のモバイルデバイスは、自律型モードで機能する。
【００７８】
複数の実施形態は、割り振りに関する要求および許可のメカニズムを使用することができるＵＭＴＳ、ＷｉＦｉ、および／またはＬＴＥを含む（ただし、それらには限定されない）他のテクノロジーに適用されることが可能である。
【００７９】
いくつかの実施形態は、ハードブランキングとソフトブランキングとを互いに併せて利用することができる。たとえば、ReverseLinkSilenceDurationと同様のツールおよび技術が十分でないケースにおいては、ハードブランキングとソフトブランキングが、連続して使用されることが可能である。ハードブランキング中には、すべてのモバイルデバイスが、ReverseLinkSilenceDurationのためにサイレントになることが可能である。この持続時間の終わりには、オペレーションの通常モードに切り替えるよりもむしろ、いくつかの実施形態は、モバイルデバイスが、オペレーションの通常モードにある場合よりも低いＴ２ＰＩｎｆｌｏｗを得ること、したがって、より少なく送信することが可能になるようにＲＡＢビットを設定することによって、ソフトブランキングに切り替えることができ、それは、リアルタイムアプリケーションを活動状態に保持し、データ送信を制御下に保持する。いずれかのポイントにおいて、ＲＡＢビットは、システム内の実際の状況を表すように設定されることが可能であり、それによってシステムは、オペレーションの通常モードに戻る。
【００８０】
いくつかの実施形態は、通常帯域幅システムにおけるＲＬブランキング中のフレキシブル帯域幅システムにおけるモバイルデバイスによる電力ブースティングを含むことができる。利用可能なＰＡヘッドルームがある場合には、逆が行われることも可能である（たとえば、フレキシブルＷＷＡＮシステムにおけるＲＬブランキング中の通常のＷＷＡＮシステムにおけるモバイルデバイスによる電力ブースト）。これは、たいていはハードＲＬブランキングに適用可能とすることができるが、ソフトＲＬブランキング用に拡大適用されることも可能である。
【００８１】
いくつかの実施形態は、Ｔ２ＰＮｏＴｘＦｉｌｔｅｒＴＣと同様のツールおよび技術を利用してリバースリンクブランキングを生成することができる。このパラメータは、モバイルデバイスがオープン状態にあるが、対応するフォワードチャネルを受信していないことに起因してリバーストラフィックチャネル上での送信を行っていない場合に平均Ｔ２Ｐを計算するために使用されるフィルタ時定数である。これは、ハイブリッドモードオペレーション（たとえば、１ｘ＋ＤＯモード）に典型的である。このパラメータが、長い時定数に設定される場合には、Ｔ２ＰＩｎｆｌｏｗの値は、１ｘチューンアウェイ（1x tune-away）中に、より少なく低下することが可能であり、より活発な送信電力を伴ってＥＶ−ＤＯモードへ戻ってくる。ロードされていないセクタにおいては、モバイルデバイスのＴ２ＰＩｎｆｌｏｗは、チューンアウェイから戻ると、チューンアウェイの前のレベルと比較して同様のレベルにあることが可能である。これは、モバイルデバイスが、より高いペイロードサイズを使用して送信を行うことを可能にすることができ、チューンアウェイから戻った後にそのモバイルデバイスの瞬間的なスループットを増大させることができる。このパラメータが、短い時定数に設定される場合には、Ｔ２ＰＩｎｆｌｏｗは、チューンアウェイ中に、より多く低下することが可能であり、モバイルデバイスは、より活発でない送信電力を伴って戻ってくる。これは、リバースリンク上で送信されるペイロードサイズのランピングにおいて余分な遅延を引き起こす場合がある。これは、モバイルデバイスがチューンアウェイから戻った後にシステム内のライズオーバーサーマルにおいてより平滑な変動を可能にするであろうということがプラスの側面かもしれない。
【００８２】
いくつかの実施形態は、ハードおよび／またはソフトＲＬブランキングのためにＴ２ＰＮｏＴｘＦｉｌｔｅｒＴＣを利用することができる。複数の実施形態は、モバイルデバイスが、（対応するフォワードチャネルを受信しているが、）ＲＬブランキングに起因してリバーストラフィックチャネル上での送信を行っていない場合に平均Ｔ２Ｐを計算するための時定数を有することができる。このパラメータが、長い時定数に設定される場合には、Ｔ２ＰＩｎｆｌｏｗの値は、ＲＬブランキング中に、より少なく低下することが可能であり、ＲＬブランキングの終わりに、より活発な送信電力を伴って開始することができる。ロードされていないセクタにおいては、モバイルデバイスのＴ２ＰＩｎｆｌｏｗは、ＲＬブランキングから戻ると、ＲＬブランキングの前のレベルと比較して同様のレベルにあることが可能である。これは、モバイルデバイスが、より高いペイロードサイズを使用して送信を行うことを可能にすることができ、ＲＬブランキングの後にそのモバイルの瞬間的なスループットを増大させることができる。このパラメータが、短い時定数に設定される場合には、Ｔ２ＰＩｎｆｌｏｗは、ＲＬブランキング中に、より多く低下することが可能であり、モバイルデバイスは、より活発でない送信電力を伴って戻ってくることが可能である。これは、リバースリンク上で送信されるペイロードサイズのランピングにおいて余分な遅延を引き起こす場合がある。これは、ＡＴがＲＬブランキングから戻った後にシステム内のライズオーバーサーマルにおいてより平滑な変動を可能にすることができるということがプラスの側面かもしれない。
【００８３】
いくつかの実施形態は、上述のように、通常帯域幅システム（または、いくつかのケースにおいては、フレキシブル帯域幅システム）上でのソフトブランキングを利用することができる。ソフトブランキングは、たとえば、モバイルデバイスが、スロットのデータ部分においてハードブランキングにおける場合と同様にサイレント（たとえば、完全にサイレント、いくつかのチャネルに関してサイレント）ではない場合があるが、基地局が、たとえば、ソフトブランキングがない場合に基地局が有するであろうよりも少なく送信を行うことができる状況を含むことができる。ソフトブランキングは、ブランキング持続時間の少なくとも一部にわたる少なくとも優先フローまたは遅延センシティブフローの送信を含むことができる。ソフトブランキングは、送信の電力を低減することを含むことができる。優先フローまたは遅延センシティブフローに加えて、たとえば、他のフローが、通常帯域幅システム上の「ブランキングされる」スロット内にスケジュールされることも可能である。いくつかのケースにおいては、それらのフローは、（通常帯域幅システム上で）低減された電力を伴って送信されることが可能である。いくつかの実施形態においては、ハードブランキングを伴う場合でさえ、パイロットおよび／またはＭＡＣ送信が存在することが可能である。
【００８４】
スケジューラにとって第１および第２の帯域幅システムのロード情報が利用できることが可能である、併置されるシステムに関しては、ブランキングは、スロットレベルでなど、より細かい粒度で行われることが可能である。ブランキングは、要求応答手順によってトリガーされることが可能であり、要求応答手順では、支援を求めることができる第２の帯域幅システムは、第１の帯域幅システムへ要求を送信することができ、第１の帯域幅システムは、肯定応答を用いて応答することができ、または理由を挙げることを拒否する。
【００８５】
いくつかの実施形態は、同じ場所に配置されていないフレキシブル帯域幅システムおよび通常帯域幅システムを利用することができる。ブランキングの粒度は、相対的なロード情報が共有されていない場合には、併置されていないシステムに関しては相対的に粗い。たとえば、ブランキングは、事前にスケジュールされた時刻に行われることが可能である。これは、両方のシステムにおけるピークが、別々のトラフィック分布に起因して、同時に生じることはないと想定することができる。フレキシブルな、同じ場所に配置されていない基地局は、たとえば、通常帯域幅モバイルデバイスが、遠く離れた別のモバイルデバイスからのデータを受信したくなる可能性がある特定の単一のまたは複数の時刻においてブランキングを行うよう、その通常帯域幅モバイルデバイスに要求することができる。
【００８６】
次いで図４を参照すると、ブロック図が、様々な実施形態による、リバースリンクスループットを高めるためのデバイス４００を示す。デバイス４００は、図１、図２、図３、図６、および／または図８を参照して説明される基地局１０５の１つまたは複数の態様の一例であることが可能である。デバイス４００は、プロセッサであることも可能である。デバイス４００は、受信機モジュール４０５、調整リバースリンク送信ブランキングモジュール（coordinating reverse link transmission blanking module）４１０、アクティビティーインジケータモジュール４１５、および／または送信機モジュール４２０を含むことができる。いくつかの実施形態は、調整リバースリンク電力ブースティングモジュール（coordinating reverse link power boosting module）４１２を含む。これらのコンポーネントの各々は、互いに通信状態にあることが可能である。
【００８７】
デバイス４００のこれらのコンポーネントは、ハードウェアにおいて適用可能な機能のうちのいくつかまたはすべてを実行するように適合される１つまたは複数の特定用途向け集積回路（ＡＳＩＣ）とともに、個々にまたはまとめて実装されることが可能である。あるいは、それらの機能は、１つまたは複数の集積回路上で、１つまたは複数の他の処理ユニット（またはコア）によって実行されることが可能である。他の実施形態においては、他のタイプの集積回路（たとえば、構造化／プラットフォームＡＳＩＣ、フィールドプログラマブルゲートアレイ（ＦＰＧＡ）、および他のセミカスタムＩＣ）が使用されることが可能であり、それらは、当技術分野において既知の任意の様式でプログラムされることが可能である。各ユニットの機能は、メモリ内で具体化されて、１つまたは複数の一般的なまたはアプリケーション固有のプロセッサによって実行されるようにフォーマットされた命令とともに、全体的にまたは部分的に実装されることも可能である。
【００８８】
受信機モジュール４０５は、パケット、データ、および／または、デバイス４００が何を受信または送信したかに関するシグナリング情報などの情報を受信することができる。受信された情報は、様々な目的で調整リバースリンク送信ブランキングモジュール４１０によって利用されることが可能である。
【００８９】
受信機モジュール４０５は、第１のキャリア帯域幅および第２のキャリア帯域幅など、複数の帯域幅キャリアを識別するように構成されることが可能である。第２のキャリア帯域幅は、第１のキャリア帯域幅に部分的にオーバーラップすることが可能である。アクティビティーインジケータモジュール４１５は、少なくとも第１のキャリア帯域幅または第２のキャリア帯域幅上でのアクティビティーレベルを判定することができる。その判定に基づいて、調整リバースリンク送信ブランキングモジュール４１０は、判定されたアクティビティーレベルに応じて第１のモバイルデバイスからの第１のキャリア帯域幅にわたるリバースリンク上での送信ブランキングを生成するために、送信機４２０を通じて第１のインジケータなどのインジケータをモバイルデバイスへ送信することができる。いくつかの実施形態においては、判定された１つまたは複数のアクティビティーレベルに基づいて少なくとも第１のインジケータを送信することは、第２のキャリア帯域幅に対して第１のキャリア帯域幅にわたるリバースリンク上での送信ブランキングを調整するために使用される。それらのインジケータは、１つまたは複数のモバイルデバイスへ送信されることが可能である。いくつかの実施形態においては、調整リバースリンク送信ブランキングモジュール４１０は、第１のキャリア帯域幅にわたるリバースリンク上での送信ブランキングを、そのブランキングが第２のキャリア帯域幅にわたる同時送信中に生じるように調整する。
【００９０】
いくつかの実施形態においては、調整リバースリンク送信ブランキングモジュール４１０が、第２のキャリア帯域幅に対して第１のキャリア帯域幅にわたるリバースリンク上での送信ブランキングを調整するために、判定された１つまたは複数のアクティビティーレベルに基づいて送信機４２０を通じて少なくとも第１のインジケータを送信することは、少なくとも第１の送信されたインジケータに基づいて第１のキャリア帯域幅にわたるリバースリンク上でのハード送信ブランキングを調整することをさらに含む。調整リバースリンク送信ブランキングモジュール４１０が、第２のキャリア帯域幅に対して第１のキャリア帯域幅にわたるリバースリンク上での送信ブランキングを調整するために、判定された１つまたは複数のアクティビティーレベルに基づいて送信機４２０を通じて少なくとも第１のインジケータを送信することは、少なくとも第１の送信されたインジケータに基づいて第１のキャリア帯域幅にわたるリバースリンク上でのソフト送信ブランキングを調整することをさらに含むことができる。調整された送信ブランキングは、調整された送信ブランキングのうちで、調整された送信ブランキングの全期間に満たない部分の間における送信を含むことができ、これは、ソフトブランキングおよび／またはハードブランキングに適用可能とすることができる。いくつかの実施形態は、調整されたソフト送信ブランキングから、調整されたハード送信ブランキングへ、またはその逆へ遷移することを含む。
【００９１】
いくつかの実施形態においては、調整リバースリンク送信ブランキングモジュール４１０が送信機４２０を通じて送信を行うことは、少なくとも第１のキャリア帯域幅または第２のキャリア帯域幅が、認可されたスペクトルを利用するように構成されることが可能である。いくつかの実施形態においては、第１のキャリア帯域幅および第２のキャリア帯域幅は、別々の無線アクセステクノロジー（ＲＡＴ）を利用する。たとえば、一実施形態においては、第１のキャリア帯域幅がＬＴＥを利用し、その一方で第２のキャリア帯域幅がＥＶ−ＤＯを利用し、または、第１のキャリア帯域幅がＥＶ−ＤＯを利用し、その一方で第２のキャリア帯域幅がＬＴＥを利用する。
【００９２】
調整リバースリンク送信ブランキングモジュール４１０および／またはアクティビティーインジケータモジュール４１５は、様々なインジケータを利用することができる。それらのインジケータは、リバースアクティビティービット（ＲＡＢ）の機能であるインジケータ、ＲＡＢのようなインジケータ、ReverseLinkSilenceDuration、ReverseLinkSilenceDurationのようなインジケータ、Ｔ２ＰＩｎｆｌｏｗ割り振り、および／またはＴ２ＰＩｎｆｌｏｗ割り振りのようなインジケータを含むことができるが、それらには限定されない。上述したように、調整リバースリンク送信ブランキングモジュール４１０は、送信ブランキングが、ハードブランキング、ソフトブランキング、または、ハードブランキングとソフトブランキングの組合せを含むことができるように構成されることが可能である。いくつかの実施形態においては、第１のキャリア帯域幅は通常帯域幅であり、第２のキャリア帯域幅はフレキシブル帯域幅である。通常キャリア帯域幅は、フレキシブルキャリア帯域幅に完全にオーバーラップすることが可能である。
【００９３】
いくつかの実施形態においては、デバイス４００は、第１のキャリア帯域幅にわたる送信ブランキング中に第２のキャリア帯域幅にわたる送信電力増大を調整するように送信機４２０を通じてさらに構成されることが可能である。たとえば、いくつかの実施形態は、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを、送信機４２０を通じて送信するために使用される調整リバースリンク電力ブースティングモジュール４１２を含む。
【００９４】
いくつかの実施形態においては、受信機モジュール４０５は、第２のキャリア帯域幅とは異なる第３のキャリア帯域幅を識別することであって、第３のキャリア帯域幅が、第１のキャリア帯域幅に少なくとも部分的にオーバーラップすることを含むようにさらに構成されることが可能である。第３のキャリア帯域幅は、第２のキャリア帯域幅と同じスケーリングファクタ、またはいくつかのケースにおいては、第２のキャリア帯域幅とは異なるスケーリングファクタを利用してスケールされることが可能である。リバースリンクブランキングモジュール４１０は、少なくとも第１のキャリア帯域幅上でのアクティビティーレベルを判定するようにさらに構成されることが可能であり、または第３のキャリア帯域幅が判定されることが可能である。その判定に基づくインジケータが、判定されたアクティビティーレベルに応じて第１のモバイルデバイスからの第１のキャリア帯域幅にわたるリバースリンク上での送信ブランキングを生成するために、リバースリンクブランキングモジュール４１０によって第１のモバイルデバイスへ送信されることが可能である。第３のまたはそれ以上のキャリア帯域幅のこの使用は、マルチキャリア実施形態と呼ばれることが可能である。これらのマルチキャリア実施形態は、同じ場所に、または異なる場所に配置されることが可能である。
【００９５】
調整リバースリンク送信ブランキングモジュール４１０および／または調整リバースリンク電力ブースティングモジュール４１２は、他の機能を提供するように構成されることが可能である。たとえば、第１のキャリア帯域幅にわたる調整された送信ブランキングは、スロットレベルで生じることが可能である。いくつかの実施形態は、第２のキャリア帯域幅にわたる電力増大を利用して、少なくとも制御チャネルまたはデータチャネルの少なくともデータレートを増大させることを含む。いくつかの実施形態は、第１のキャリア帯域幅にわたる調整された送信ブランキングとは異なる時間中に第１のキャリア帯域幅にわたる送信の電力を増大させることを含む。第１のキャリア帯域幅が送信を行っていない１つまたは複数のスロット中に第２のキャリア帯域幅にわたる同時送信を調整することが生じることが可能である。いくつかの実施形態においては、第２のキャリア帯域幅にわたる同時送信中に第１のキャリア帯域幅にわたるリバースリンク上での送信ブランキングを少なくとも調整すること、または、第１のキャリア帯域幅にわたるリバースリンク上での調整された送信ブランキング中に第２のキャリア帯域幅にわたる送信の電力を増大させることは、少なくとも、第２のキャリア帯域幅に対する第１のキャリア帯域幅の相対的なローディング、または時刻に依存することが可能である。
【００９６】
次いで図５を参照すると、ブロック図が、様々な実施形態による、リバースリンクスループットを高めるためのデバイス５００を示す。デバイス５００は、図１、図２、図３、図６、図７、および／または図８を参照して説明されるモバイルデバイス１１５の１つまたは複数の態様の一例であることが可能である。デバイス５００は、プロセッサであることも可能である。デバイス５００は、受信機モジュール５０５、送信ブランキングモジュール５１０、および／または送信機モジュール５２０を含むことができる。デバイス５００は、送信電力ブースティングモジュール５１２を含むことができる。これらのコンポーネントの各々は、互いに通信状態にあることが可能である。デバイス５００および／またはそのコンポーネントは、たとえば、図４のデバイス４００などのデバイスからの送信を受信するように構成されることが可能である。
【００９７】
デバイス５００のこれらのコンポーネントは、ハードウェアにおいて適用可能な機能のうちのいくつかまたはすべてを実行するように適合される１つまたは複数の特定用途向け集積回路（ＡＳＩＣ）とともに、個々にまたはまとめて実装されることが可能である。あるいは、それらの機能は、１つまたは複数の集積回路上で、１つまたは複数の他の処理ユニット（またはコア）によって実行されることが可能である。他の実施形態においては、他のタイプの集積回路（たとえば、構造化／プラットフォームＡＳＩＣ、フィールドプログラマブルゲートアレイ（ＦＰＧＡ）、および他のセミカスタムＩＣ）が使用されることが可能であり、それらは、当技術分野において既知の任意の様式でプログラムされることが可能である。各ユニットの機能は、メモリ内で具体化されて、１つまたは複数の一般的なまたはアプリケーション固有のプロセッサによって実行されるようにフォーマットされた命令とともに、全体的にまたは部分的に実装されることも可能である。
【００９８】
受信機モジュール５０５は、パケット、データ、および／または、デバイス５００が何を受信または送信したかに関するシグナリング情報などの情報を受信することができる。受信された情報は、様々な目的で送信ブランキングモジュール５１０および／または送信電力ブースティングモジュール５１２によって利用されることが可能である。
【００９９】
いくつかの実施形態においては、受信機モジュール５０５は、ロードインジケータなどのインジケータを受信するように構成されることが可能である。ロードインジケータは、たとえば、モバイルデバイスにおいて受信されることが可能である。インジケータは、第１のキャリア帯域幅などのキャリア帯域幅にわたるリバースリンク上での送信ブランキングを調整するように構成されることが可能である。送信ブランキングモジュール５１０は、第１のキャリア帯域幅に少なくとも部分的にオーバーラップする第２のキャリア帯域幅にわたる同時送信中に第１のキャリア帯域幅にわたるリバースリンク上での送信ブランキングを調整するために、少なくとも受信されたインジケータを利用することができる。
【０１００】
いくつかの実施形態においては、送信ブランキングモジュールは、少なくとも第１の受信されたインジケータを利用して第１のキャリア帯域幅にわたるリバースリンク上でのハード送信ブランキングを実行する目的で、第１のキャリア帯域幅に部分的にオーバーラップする第２のキャリア帯域幅にわたる同時送信中に第１のキャリア帯域幅にわたるリバースリンク上での送信ブランキングを調整するために少なくとも第１の受信されたインジケータを利用する。送信ブランキングモジュールは、少なくとも第１の受信されたインジケータを利用して第１のキャリア帯域幅にわたるリバースリンク上でのソフト送信ブランキングを実行する目的で、第１のキャリア帯域幅に部分的にオーバーラップする第２のキャリア帯域幅にわたる同時送信中に第１のキャリア帯域幅にわたるリバースリンク上での送信ブランキングを調整するために少なくとも第１の受信されたインジケータを利用することができる。調整された送信ブランキングは、調整された送信ブランキングのうちで、調整された送信ブランキングの全期間に満たない部分の間における送信を含むことができ、これは、ソフトブランキングおよび／またはハードブランキングに適用可能とすることができる。いくつかの実施形態は、調整されたソフト送信ブランキングから、調整されたハード送信ブランキングへ、またはその逆へ遷移することを含む。いくつかの実施形態においては、第１のキャリア帯域幅は通常キャリア帯域幅であり、第２のキャリア帯域幅はフレキシブルキャリア帯域幅である。
【０１０１】
リバースリンク送信ブランキングモジュール５１０は、様々なインジケータを利用することができる。それらのインジケータは、少なくともリバースアクティビティービット（ＲＡＢ）の機能であるインジケータ、ＲＡＢのようなインジケータ、ReverseLinkSilenceDuration、ReverseLinkSilenceDurationのようなインジケータ、Ｔ２ＰＩｎｆｌｏｗ割り振り、および／またはＴ２ＰＩｎｆｌｏｗ割り振りのようなインジケータを含むことができるが、それらには限定されない。送信ブランキングモジュール５１０は、送信ブランキングが、ハードブランキング、ソフトブランキング、または、ハードブランキングとソフトブランキングの組合せを含むことができるように構成されることが可能である。調整されたソフト送信ブランキングは、調整されたソフト送信ブランキングのうちで、調整されたソフト送信ブランキングの全期間に満たない部分の間における送信を含むことができる。いくつかの実施形態においては、第１のキャリア帯域幅は通常キャリア帯域幅であり、第２のキャリア帯域幅はフレキシブルキャリア帯域幅であり、通常キャリア帯域幅は、フレキシブルキャリア帯域幅に完全にオーバーラップすることが可能である。いくつかの実施形態においては、少なくとも第１のキャリア帯域幅または第２のキャリア帯域幅は、認可されたスペクトルを利用する。いくつかの実施形態においては、第１のキャリア帯域幅および第２のキャリア帯域幅は、別々の無線アクセステクノロジー（ＲＡＴ）を利用する。たとえば、一実施形態においては、第１のキャリア帯域幅がＬＴＥを利用し、その一方で第２のキャリア帯域幅がＥＶ−ＤＯを利用し、または、第１のキャリア帯域幅がＥＶ−ＤＯを利用し、その一方で第２のキャリア帯域幅がＬＴＥを利用する。
【０１０２】
いくつかの実施形態においては、デバイス５００は、第１のキャリア帯域幅にわたる送信ブランキング中に第２のキャリア帯域幅にわたる送信の電力を増大させるようにさらに構成されることが可能である。たとえば、いくつかの実施形態は、送信電力ブースティングモジュール５１２を含む。送信電力ブースティングモジュール５１２は、第１のキャリア帯域幅にわたる調整された送信ブランキング中に同時送信のための第２のキャリア帯域幅にわたる送信の電力を増大させることができる。いくつかの実施形態においては、送信ブランキングモジュール５１０は、第１のキャリア帯域幅に部分的にオーバーラップする第３のキャリア帯域幅にわたる同時送信中に第１のキャリア帯域幅にわたるリバースリンク上での送信ブランキングを設けるために１つまたは複数のインジケータを利用するようにさらに構成されることが可能である。第１のキャリア帯域幅にわたる調整された送信ブランキングは、スロットレベルで生じることが可能である。いくつかの実施形態は、第２のキャリア帯域幅にわたる電力増大を利用して、少なくとも制御チャネルまたはデータチャネルの少なくともデータレートを増大させることを含む。いくつかの実施形態は、第１のキャリア帯域幅にわたる調整された送信ブランキングとは異なる時間中に第１のキャリア帯域幅にわたる送信の電力を増大させることを含む。第１のキャリア帯域幅が送信を行っていない１つまたは複数のスロット中に第２のキャリア帯域幅にわたる同時送信を調整することが生じることが可能である。いくつかの実施形態においては、第２のキャリア帯域幅にわたる同時送信中に第１のキャリア帯域幅にわたるリバースリンク上での送信ブランキングを少なくとも調整すること、または、第１のキャリア帯域幅にわたるリバースリンク上での調整された送信ブランキング中に第２のキャリア帯域幅にわたる送信の電力を増大させることは、少なくとも、第２のキャリア帯域幅に対する第１のキャリア帯域幅の相対的なローディング、または時刻に依存することが可能である。
【０１０３】
図６は、様々な実施形態による、フレキシブル波形を利用するように構成されることが可能である通信システム６００のブロック図を示す。このシステム６００は、図１において示されるシステム１００、図２のシステム２００、図３のシステム３００、および／または図８のシステム８００の態様の一例であることが可能である。基地局１０５−ｄは、アンテナ６４５と、トランシーバモジュール６５０と、メモリ６７０と、プロセッサモジュール６６５とを含むことができ、それらはそれぞれ、（たとえば、１つまたは複数のバスを介して）互いに直接または間接的に通信状態にあることが可能である。トランシーバモジュール６５０は、アンテナ６４５を介して、マルチモードモバイルデバイスであることが可能であるモバイルデバイス１１５−ｅと双方向に通信するように構成されることが可能である。トランシーバモジュール６５０（および／または基地局１０５−ｄの他のコンポーネント）は、１つまたは複数のネットワークと双方向に通信するように構成されることも可能である。いくつかのケースにおいては、基地局１０５−ｄは、ネットワーク通信モジュール６７５を通じてネットワーク１３０−ａおよび／またはコントローラ１２０−ａと通信することができる。基地局１０５−ｄは、ｅＮｏｄｅＢ基地局、ホームｅＮｏｄｅＢ基地局、ＮｏｄｅＢ基地局、および／またはホーム  ＮｏｄｅＢ基地局の一例であることが可能である。コントローラ１２０−ａは、ｅＮｏｄｅＢ基地局となど、いくつかのケースにおいては、基地局１０５−ｄ内に統合されることが可能である。
【０１０４】
基地局１０５−ｄは、基地局１０５−ｍおよび基地局１０５−ｎなど、他の基地局１０５と通信することもできる。基地局１０５の各々は、別々の無線アクセステクノロジーなど、別々のワイヤレス通信テクノロジーを使用して、モバイルデバイス１１５−ｅと通信することができる。いくつかのケースにおいては、基地局１０５−ｄは、基地局通信モジュール６１５を利用して、１０５−ｍおよび／または１０５−ｎなどの他の基地局と通信することができる。いくつかの実施形態においては、基地局通信モジュール６１５は、基地局１０５のうちのいくつかの間における通信を提供するために、ＬＴＥワイヤレス通信テクノロジー内のＸ２インターフェースを提供することができる。いくつかの実施形態においては、基地局１０５−ｄは、コントローラ１２０−ａおよび／またはネットワーク１３０−ａを通じて他の基地局と通信することができる。
【０１０５】
メモリ６７０は、ランダムアクセスメモリ（ＲＡＭ）および読み取り専用メモリ（ＲＯＭ）を含むことができる。メモリ６７０は、実行されたときに、本明細書に記載される様々な機能（たとえば、コール処理、データベースマネージメント、メッセージルーティングなど）をプロセッサモジュール６６５に実行させるように構成される命令を含む、コンピュータによって読み取り可能で、コンピュータによって実行可能なソフトウェアコード６７１を格納することもできる。あるいは、ソフトウェア６７１は、プロセッサモジュール６６５によって直接実行可能ではなく、たとえば、コンパイルおよび実行されたときに、本明細書に記載される機能をコンピュータに実行させるように構成されることが可能である。
【０１０６】
プロセッサモジュール６６５は、インテリジェントなハードウェアデバイス、たとえば、Ｉｎｔｅｌ（登録商標）  ＣｏｒｐｏｒａｔｉｏｎまたはＡＭＤ（登録商標）によって製造されるものなどの中央処理装置（ＣＰＵ）、マイクロコントローラ、特定用途向け集積回路（ＡＳＩＣ）などを含むことができる。プロセッサモジュール６６５は、マイクロフォンを介してオーディオを受信し、そのオーディオを、その受信されたオーディオを表す（たとえば、３０ｍｓの長さの）パケットへと変換し、それらのオーディオパケットをトランシーバモジュール６５０に提供し、ユーザが話しているかどうかの表示を提供するように構成されるスピーチエンコーダ（図示せず）を含むことができる。あるいは、エンコーダは、ユーザが話しているかどうかの表示を提供するパケットそのものの提供または保留／差し控えを伴って、パケットをトランシーバモジュール６５０に提供するだけであることが可能である。
【０１０７】
トランシーバモジュール６５０は、パケットを変調して、その変調されたパケットを送信のためにアンテナ６４５に提供するように、およびアンテナ６４５から受信されたパケットを復調するように構成されるモデムを含むことができる。基地局１０５−ｄのいくつかの例は、単一のアンテナ６４５を含むことができるが、基地局１０５−ｄは、キャリアアグリゲーションをサポートすることができる複数のリンクのための複数のアンテナ６４５を含むことが好ましい。たとえば、モバイルデバイス１１５−ｅとのマクロ通信をサポートするために、１つまたは複数のリンクが使用されることが可能である。
【０１０８】
図６のアーキテクチャーによれば、基地局１０５−ｄは、通信マネージメントモジュール６３０をさらに含むことができる。通信マネージメントモジュール６３０は、他の基地局１０５との通信を管理することができる。例として、通信マネージメントモジュール６３０は、バスを介して基地局１０５−ｄの他のコンポーネントのうちのいくつかまたはすべてと通信状態にある基地局１０５−ｄのコンポーネントであることが可能である。あるいは、通信マネージメントモジュール６３０の機能は、トランシーバモジュール６５０のコンポーネントとして、コンピュータプログラム製品として、および／またはプロセッサモジュール６６５の１つもしくは複数のコントローラ要素として実装されることが可能である。
【０１０９】
基地局１０５−ｄに関するコンポーネントは、図４におけるデバイス４００に関して上述した態様を実施するように構成されることが可能であり、簡潔にするために、ここでは繰り返されなくてよい。たとえば、リバースリンクブランキングモジュール４１０−ａは、図４の調整リバースリンク送信ブランキングモジュール４１０であることが可能である。電力ブースティングモジュール４１２−ａは、図４の調整リバースリンク電力ブースティングモジュール４１２であることが可能である。アクティビティーインジケータモジュール４１５−ａは、図４のアクティビティーインジケータモジュール４１０であることが可能である。
【０１１０】
基地局１０５−ｄは、スペクトル識別モジュール６１５を含むこともできる。スペクトル識別モジュール６１５は、フレキシブル波形にとって利用可能なスペクトルを識別するために利用されることが可能である。いくつかの実施形態においては、ハンドオーバーモジュール６２５は、１つの基地局１０５から別の基地局１０５へのモバイルデバイス１１５−ｅのハンドオーバー手順を実行するために利用されることが可能である。たとえば、ハンドオーバーモジュール６２５は、基地局１０５−ｄから別の基地局へのモバイルデバイス１１５−ｅのハンドオーバー手順を実行することができ、その場合、モバイルデバイス１１５−ｅと、基地局のうちの１つとの間においては、通常波形が利用され、そのモバイルデバイスと、別の基地局との間においては、フレキシブル波形が利用される。スケーリングモジュール６１０は、フレキシブル波形を生成するためにチップレートをスケールおよび／または変更するために利用されることが可能である。
【０１１１】
いくつかの実施形態においては、アンテナ６４５を伴うトランシーバモジュール６５０は、基地局１０５−ｄの他の可能なコンポーネントとともに、フレキシブル波形および／またはスケーリングファクタに関する情報を、基地局１０５−ｄからモバイルデバイス１１５−ｅへ、他の基地局１０５−ｍ／１０５−ｎ、またはコアネットワーク１３０−ａへ送信することができる。いくつかの実施形態においては、アンテナ６４５を伴うトランシーバモジュール６５０は、基地局１０５−ｄの他の可能なコンポーネントとともに、フレキシブル波形および／またはスケーリングファクタなどの情報をモバイルデバイス１１５−ｅへ、他の基地局１０５−ｍ／１０５−ｎ、またはコアネットワーク１３０−ａへ送信することができ、それによって、これらのデバイスまたはシステムは、フレキシブル波形を利用することができる。
【０１１２】
図７は、様々な実施形態による、フレキシブル帯域幅の使用を容易にするように構成されるモバイルデバイス１１５−ｆのブロック図７００である。モバイルデバイス１１５−ｆは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、ｅリーダ等などの様々な構成のうちの任意のものを有することができる。モバイルデバイス１１５−ｆは、モバイルオペレーションを容易にするために、小型バッテリーなどの内部電源（図示せず）を有することができる。いくつかの実施形態においては、モバイルデバイス１１５−ｆは、図１、図２、図３、図６、および／もしくは図８のモバイルデバイス１１５、ならびに／または図５のデバイス５００であることが可能である。モバイルデバイス１１５−ｆは、マルチモードモバイルデバイスであることが可能である。モバイルデバイス１１５−ｆは、いくつかのケースにおいては、ワイヤレス通信デバイスと呼ばれることが可能である。
【０１１３】
モバイルデバイス１１５−ｆは、アンテナ７４０と、トランシーバモジュール７５０と、メモリ７８０と、プロセッサモジュール７７０とを含むことができ、それらはそれぞれ、（たとえば、１つまたは複数のバスを介して）互いに直接または間接的に通信状態にあることが可能である。トランシーバモジュール７５０は、上述のように、アンテナ７４０および／または１つもしくは複数の有線リンクもしくはワイヤレスリンクを介して、１つまたは複数のネットワークと双方向に通信するように構成される。たとえば、トランシーバモジュール７５０は、図１、図２、図３、図６、および／または図８の基地局１０５と双方向に通信するように構成されることが可能である。トランシーバモジュール７５０は、パケットを変調して、その変調されたパケットを送信のためにアンテナ７４０に提供するように、およびアンテナ７４０から受信されたパケットを復調するように構成されるモデムを含むことができる。モバイルデバイス１１５−ｆは、単一のアンテナを含むことができるが、典型的には、複数のリンクのための複数のアンテナ７４０を含むことになる。
【０１１４】
メモリ７８０は、ランダムアクセスメモリ（ＲＡＭ）および読み取り専用メモリ（ＲＯＭ）を含むことができる。メモリ７８０は、実行されたときに、本明細書に記載される様々な機能（たとえば、コール処理、データベースマネージメント、メッセージルーティングなど）をプロセッサモジュール７７０に実行させるように構成される命令を含む、コンピュータによって読み取り可能で、コンピュータによって実行可能なソフトウェアコード７８５を格納することができる。あるいは、ソフトウェア７８５は、プロセッサモジュール７７０によって直接実行可能ではなく、（たとえば、コンパイルおよび実行されたときに、）本明細書に記載される機能をコンピュータに実行させるように構成されることが可能である。
【０１１５】
プロセッサモジュール７７０は、インテリジェントなハードウェアデバイス、たとえば、Ｉｎｔｅｌ（登録商標）  ＣｏｒｐｏｒａｔｉｏｎまたはＡＭＤ（登録商標）によって製造されるものなどの中央処理装置（ＣＰＵ）、マイクロコントローラ、特定用途向け集積回路（ＡＳＩＣ）などを含むことができる。プロセッサモジュール７７０は、マイクロフォンを介してオーディオを受信し、そのオーディオを、その受信されたオーディオを表す（たとえば、３０ｍｓの長さの）パケットへと変換し、それらのオーディオパケットをトランシーバモジュール７５０に提供し、ユーザが話しているかどうかの表示を提供するように構成されるスピーチエンコーダ（図示せず）を含むことができる。あるいは、エンコーダは、ユーザが話しているかどうかの表示を提供するパケットそのものの提供または保留／差し控えを伴って、パケットをトランシーバモジュール７５０に提供するだけであることが可能である。
【０１１６】
図７のアーキテクチャーによれば、モバイルデバイス１１５−ｆは、通信マネージメントモジュール７６０をさらに含むことができる。通信マネージメントモジュール７６０は、他のモバイルデバイス１１５との通信を管理することができる。例として、通信マネージメントモジュール７６０は、バスを介してモバイルデバイス１１５−ｆの他のコンポーネントのうちのいくつかまたはすべてと通信状態にあるモバイルデバイス１１５−ｆのコンポーネントであることが可能である。あるいは、通信マネージメントモジュール７６０の機能は、トランシーバモジュール７５０のコンポーネントとして、コンピュータプログラム製品として、および／またはプロセッサモジュール７７０の１つもしくは複数のコントローラ要素として実装されることが可能である。
【０１１７】
モバイルデバイス１１５−ｆに関するコンポーネントは、図５におけるデバイス５００に関して上述した態様を実施するように構成されることが可能であり、簡潔にするために、ここでは繰り返されなくてよい。たとえば、リバースリンク送信ブランキングモジュール５１０−ａは、図５の送信ブランキングモジュール５１０であることが可能である。リバースリンク送信電力ブースティングモジュール５１２−ａは、図５の送信電力ブースティングモジュール５１２であることが可能である。
【０１１８】
モバイルデバイス１１５−ｆは、スペクトル識別モジュール７１５を含むこともできる。スペクトル識別モジュール７１５は、フレキシブル波形にとって利用可能なスペクトルを識別するために利用されることが可能である。いくつかの実施形態においては、ハンドオーバーモジュール７２５は、１つの基地局から別の基地局へのモバイルデバイス１１５−ｆのハンドオーバー手順を実行するために利用されることが可能である。たとえば、ハンドオーバーモジュール７２５は、１つの基地局から別の基地局へのモバイルデバイス１１５−ｆのハンドオーバー手順を実行することができ、その場合、モバイルデバイス１１５−ｆと、基地局のうちの１つとの間においては、通常波形が利用され、そのモバイルデバイスと、別の基地局との間においては、フレキシブル波形が利用される。スケーリングモジュール７１０は、フレキシブル波形を生成するためにチップレートをスケールおよび／または変更するために利用されることが可能である。
【０１１９】
いくつかの実施形態においては、アンテナ７４０を伴うトランシーバモジュール７５０は、モバイルデバイス１１５−ｆの他の可能なコンポーネントとともに、フレキシブル波形および／またはスケーリングファクタに関する情報を、モバイルデバイス１１５−ｆから基地局またはコアネットワークへ送信することができる。いくつかの実施形態においては、アンテナ７４０を伴うトランシーバモジュール７５０は、モバイルデバイス１１５−ｆの他の可能なコンポーネントとともに、フレキシブル波形および／またはスケーリングファクタなどの情報を基地局またはコアネットワークへ送信することができ、それによって、これらのデバイスまたはシステムは、フレキシブル波形を利用することができる。
【０１２０】
図８は、様々な実施形態による、基地局１０５−ｅとモバイルデバイス１１５−ｇとを含むシステム８００のブロック図である。このシステム８００は、図１のシステム１００、図２のシステム２００、図３のシステム３００、および／または図６のシステム６００の一例であることが可能である。基地局１０５−ｅは、アンテナ８３４−ａ〜８３４−ｘを備えることができ、モバイルデバイス１１５−ｇは、アンテナ８５２−ａ〜８５２−ｎを備えることができる。基地局１０５−ｅにおいて、送信プロセッサ８２０は、データソースからデータを受信することができる。
【０１２１】
送信機プロセッサ８２０は、データを処理することができる。送信機プロセッサ８２０は、参照シンボルと、セル固有の参照信号とを生成することもできる。送信（ＴＸ）ＭＩＭＯプロセッサ８３０は、該当する場合には、データシンボル、制御シンボル、および／または参照シンボル上での空間処理（たとえば、プリコーディング）を実行することができ、出力シンボルストリームを送信変調器８３２−ａ〜８３２−ｘに提供することができる。各変調器８３２は、出力サンプルストリームを得るために、それぞれの出力シンボルストリーム（たとえば、ＯＦＤＭに関してなど）を処理することができる。各変調器８３２は、ダウンリンク（ＤＬ）信号を得るために、出力サンプルストリームをさらに処理すること（たとえば、アナログへ変換すること、増幅すること、フィルタリングすること、およびアップコンバートすること）が可能である。一例においては、変調器８３２−ａ〜８３２−ｘからのＤＬ信号は、それぞれアンテナ８３４−ａ〜８３４−ｘを介して送信されることが可能である。送信機プロセッサ８２０は、プロセッサ８４０からの情報を受信することができる。プロセッサ８４０は、チップレートを変更すること、および／またはスケーリングファクタを利用することを通じてフレキシブル波形を生成するように構成されることが可能であり、これは、いくつかのケースにおいては、動的に行われることが可能である。プロセッサ８４０は、様々なアラインメントおよび／またはオフセット手順（alignment and/or offsetting procedures）を提供することもできる。プロセッサ８４０は、他のサブシステム上で測定を実行すること、他のサブシステムへのハンドオフを実行すること、再選択を実行することなどを行うために、スケーリングおよび／またはチップレート情報を利用することもできる。プロセッサ８４０は、パラメータスケーリングを通じてフレキシブル帯域幅の使用に関連付けられるタイムストレッチングの効果を逆転させることができる。いくつかの実施形態においては、プロセッサ８４０は、一般的なプロセッサ、送信機プロセッサ８２０、および／または受信機プロセッサ８３８の一部として実装されることが可能である。
【０１２２】
いくつかの実施形態においては、プロセッサ８４０は、リバースリンクブランキングを使用した複数のワイヤレスシステムの調整によってリバースリンクスループットを高めるように構成される。基地局１０５−ｅは、たとえば、オーバーラップするフレキシブル帯域幅システムに関するスループットを高めるために通常帯域幅システム上でのリバースリンクブランキングを利用するようモバイルデバイス１１５−ｇなどのデバイスに促す目的で、様々なインジケータを利用することができる。いくつかの実施形態においては、リバースリンクブランキングは、フレキシブル帯域幅システム上で生じることも可能である。いくつかの実施形態は、フレキシブル帯域幅システム上でなど、リバースリンクスループットを高めるためにリバースリンク上での電力ブースティングを利用することもできる。
【０１２３】
モバイルデバイス１１５−ｇにおいて、モバイルデバイスアンテナ８５２−ａ〜８５２−ｎは、基地局１０５−ｅからＤＬ信号を受信することができ、それらの受信された信号をそれぞれ復調器８５４−ａ〜８５４−ｎに提供することができる。各復調器８５４は、入力サンプルを得るために、それぞれの受信された信号を調整すること（たとえば、フィルタリングすること、増幅すること、ダウンコンバートすること、およびデジタル化すること）が可能である。各復調器８５４は、受信されたシンボルを得るために、入力サンプル（たとえば、ＯＦＤＭに関してなど）をさらに処理することができる。ＭＩＭＯ検出器８５６は、受信されたシンボルをすべての復調器８５４−ａ〜８５４−ｎから得ること、該当する場合には、受信されたシンボル上でＭＩＭＯ検出を実行すること、および検出されたシンボルを提供することが可能である。受信プロセッサ８５８は、検出されたシンボルを処理すること（たとえば、復調すること、デインターリーブすること、およびデコードすること）、モバイルデバイス１１５−ｇに関するデコードされたデータをデータ出力に提供すること、ならびにデコードされた制御情報をプロセッサ８８０、またはメモリ８８２に提供することが可能である。
【０１２４】
アップリンク（ＵＬ）上では、モバイルデバイス１１５−ｇにおいて、送信機プロセッサ８６４が、データソースからデータを受信して処理することができる。送信機プロセッサ８６４は、参照信号に関する参照シンボルを生成することもできる。送信機プロセッサ８６４からのシンボルは、該当する場合には、送信ＭＩＭＯプロセッサ８６６によってプリコードされ、（たとえば、ＳＣ−ＦＤＭＡに関してなど）復調器８５４−ａ〜８５４−ｎによってさらに処理され、基地局１０５−ｅから受信された送信パラメータに従って基地局１０５−ｅへ送信されることが可能である。送信機プロセッサ８６４は、チップレートを変更すること、および／またはスケーリングファクタを利用することを通じてフレキシブル波形を生成するように構成されることも可能であり、これは、いくつかのケースにおいては、動的に行われることが可能である。送信機プロセッサ８６４は、プロセッサ８８０からの情報を受信することができる。プロセッサ８８０は、様々なアラインメントおよび／またはオフセット手順を提供することができる。プロセッサ８８０は、他のサブシステム上で測定を実行すること、他のサブシステムへのハンドオフを実行すること、再選択を実行することなどを行うために、スケーリングおよび／またはチップレート情報を利用することもできる。プロセッサ８８０は、パラメータスケーリングを通じてフレキシブル帯域幅の使用に関連付けられるタイムストレッチングの効果を逆転させることができる。基地局１０５−ｅにおいては、モバイルデバイス１１５−ｇからのＵＬ信号が、アンテナ８３４によって受信され、復調器８３２によって処理され、該当する場合にはＭＩＭＯ検出器８３６によって検出され、受信プロセッサによってさらに処理されることが可能である。受信プロセッサ８３８は、デコードされたデータをデータ出力に、およびプロセッサ８８０に提供することができる。いくつかの実施形態においては、プロセッサ８８０は、一般的なプロセッサ、送信機プロセッサ８６４、および／または受信機プロセッサ８５８の一部として実装されることが可能である。
【０１２５】
いくつかの実施形態においては、プロセッサ８８０は、リバースリンクブランキングを使用した複数のワイヤレスシステムの調整によってリバースリンクスループットを高めるように構成される。モバイルデバイス１１５−ｇは、オーバーラップするフレキシブル帯域幅システムに関するスループットを高めるために通常帯域幅システム上でのリバースリンクブランキングを生成する目的で、様々なインジケータを利用することができる。いくつかの実施形態においては、リバースリンクブランキングは、フレキシブル帯域幅システム上で生じることも可能である。いくつかの実施形態は、フレキシブル帯域幅システム上でなど、リバースリンクスループットを高めるためにリバースリンク上での電力ブースティングを利用することもできる。
【０１２６】
図９Ａを参照すると、様々な実施形態による、ワイヤレス通信システムにおけるリバースリンクスループットを高めるための方法９００−ａの流れ図。方法９００−ａは、図１、図２、図３、図６、および／もしくは図８において見られる基地局１０５、ならびに／または図４において見られるデバイス４００を含む（ただし、それらには限定されない）様々なワイヤレス通信デバイスを利用して実施されることが可能である。いくつかの実施形態においては、方法９００−ａは、図１、図２、図３、図６、図７、および／もしくは図８において見られるモバイルデバイス１１５、図５において見られるデバイス５００、ならびに／または、図１および／もしくは図６において見られるコアネットワーク１３０および／もしくはコントローラ１２０を含む（ただし、それらには限定されない）様々なワイヤレス通信デバイスを利用して実施されることが可能である。
【０１２７】
ブロック９０５において、第１のキャリア帯域幅および第２のキャリア帯域幅が識別されることが可能である。第２のキャリア帯域幅は、第１のキャリア帯域幅に少なくとも部分的にオーバーラップすることが可能である。ブロック９１０において、少なくとも第１のキャリア帯域幅または第２のキャリア帯域幅上でのアクティビティーレベルが判定されることが可能である。ブロック９１５において、第２のキャリア帯域幅に対して第１のキャリア帯域幅にわたるリバースリンク上での送信ブランキングを調整するために、判定された１つまたは複数のアクティビティーレベルに基づく少なくとも第１のインジケータが送信されることが可能である。
【０１２８】
いくつかの実施形態においては、基地局が、１つまたは複数のインジケータを１つまたは複数のモバイルデバイスへ送信する。第１のキャリア帯域幅にわたるリバースリンク上での送信ブランキングを調整することは、送信ブランキングを、その送信ブランキングが第２のキャリア帯域幅にわたる同時送信中に生じるように調整することを含むことができる。
【０１２９】
いくつかの実施形態においては、第２のキャリア帯域幅に対して第１のキャリア帯域幅にわたるリバースリンク上での送信ブランキングを調整するために、判定された１つまたは複数のアクティビティーレベルに基づいて少なくとも第１のインジケータを送信することは、少なくとも第１の送信されたインジケータに基づいて第１のキャリア帯域幅にわたるリバースリンク上でのハード送信ブランキングを調整することをさらに含む。第２のキャリア帯域幅に対して第１のキャリア帯域幅にわたるリバースリンク上での送信ブランキングを調整するために、判定された１つまたは複数のアクティビティーレベルに基づいて少なくとも第１のインジケータを送信することは、少なくとも第１の送信されたインジケータに基づいて第１のキャリア帯域幅にわたるリバースリンク上でのソフト送信ブランキングを調整することをさらに含むことができる。調整された送信ブランキングは、調整された送信ブランキングのうちで、調整された送信ブランキングの全期間に満たない部分の間における送信を含むことができ、これは、ソフトブランキングおよび／またはハードブランキングに適用可能とすることができる。いくつかの実施形態は、調整されたソフト送信ブランキングから、調整されたハード送信ブランキングへ、またはその逆へ遷移することを含む。
【０１３０】
いくつかの実施形態においては、少なくとも第１のキャリア帯域幅または第２のキャリア帯域幅は、認可されたスペクトルを利用する。いくつかの実施形態においては、第１のキャリア帯域幅および第２のキャリア帯域幅は、別々の無線アクセステクノロジー（ＲＡＴ）を利用する。たとえば、一実施形態においては、第１のキャリア帯域幅がＬＴＥを利用し、その一方で第２のキャリア帯域幅がＥＶ−ＤＯを利用し、または、第１のキャリア帯域幅がＥＶ−ＤＯを利用し、その一方で第２のキャリア帯域幅がＬＴＥを利用する。
【０１３１】
インジケータは、リバースアクティビティービット（ＲＡＢ）の機能であるインジケータ、ＲＡＢのようなインジケータ、ReverseLinkSilenceDuration、ReverseLinkSilenceDurationのようなインジケータ、Ｔ２ＰＩｎｆｌｏｗ割り振り、および／またはＴ２ＰＩｎｆｌｏｗ割り振りのようなインジケータを含むことができるが、それらには限定されない。送信ブランキングは、ハードブランキング、ソフトブランキング、または、ハードブランキングとソフトブランキングの組合せを含むことができる。いくつかの実施形態においては、第１のキャリア帯域幅は通常帯域幅であり、第２の帯域幅はフレキシブル帯域幅である。通常帯域幅は、フレキシブル帯域幅に完全にオーバーラップすることが可能である。
【０１３２】
いくつかの実施形態においては、方法９００−ａは、第１のキャリア帯域幅にわたる送信ブランキング中に第２のキャリア帯域幅にわたる電力送信を増大させることをさらに含むことができる。たとえば、いくつかの実施形態は、第１のキャリア帯域幅に対して第２のキャリア帯域幅にわたるリバースリンク上での電力送信増大を調整するために、判定された１つまたは複数のアクティビティーレベルに基づいて少なくとも第２のインジケータを送信することを含む。
【０１３３】
いくつかの実施形態においては、方法９００−ａは、第２のキャリア帯域幅とは異なる第３のキャリア帯域幅を識別することであって、第３のキャリア帯域幅が、第１のキャリア帯域幅に少なくとも部分的にオーバーラップすることをさらに含むことができる。第２のキャリア帯域幅および第３のキャリア帯域幅は、同じスケーリングファクタまたは別々のスケーリングファクタを利用することができる。少なくとも第１のキャリア帯域幅または第３のキャリア帯域幅上でのアクティビティーレベルが判定されることが可能である。その判定に基づくインジケータが、判定されたアクティビティーレベルに応じて第１のモバイルデバイスからの第１のキャリア帯域幅にわたるリバースリンク上での送信ブランキングを生成するために、第１のモバイルデバイスへ送信されることが可能である。第３のまたはそれ以上のキャリア帯域幅のこの使用は、マルチキャリア実施形態と呼ばれることが可能である。これらのマルチキャリア実施形態は、同じ場所に、または異なる場所に配置されることが可能である。
【０１３４】
第１のキャリア帯域幅にわたる調整された送信ブランキングは、スロットレベルで生じることが可能である。いくつかの実施形態は、第２のキャリア帯域幅にわたる電力増大を利用して、少なくとも制御チャネルまたはデータチャネルの少なくともデータレートを増大させることを含む。いくつかの実施形態は、第１のキャリア帯域幅にわたる調整された送信ブランキングとは異なる時間中に第１のキャリア帯域幅にわたる送信の電力を増大させることを含む。第１のキャリア帯域幅が送信を行っていない１つまたは複数のスロット中に第２のキャリア帯域幅にわたる同時送信を調整することが生じることが可能である。いくつかの実施形態においては、第２のキャリア帯域幅にわたる同時送信中に第１のキャリア帯域幅にわたるリバースリンク上での送信ブランキングを少なくとも調整すること、または、第１のキャリア帯域幅にわたるリバースリンク上での調整された送信ブランキング中に第２のキャリア帯域幅にわたる送信の電力を増大させることは、少なくとも、第２のキャリア帯域幅に対する第１のキャリア帯域幅の相対的なローディング、または時刻に依存することが可能である。
【０１３５】
図９Ｂを参照すると、様々な実施形態による、ワイヤレス通信システムにおけるリバースリンクスループットを高めるための方法９００−ｂの流れ図。方法９００−ｂは、図１、図２、図３、図６、および／もしくは図８において見られる基地局１０５、ならびに／または図４において見られるデバイス４００を含む（ただし、それらには限定されない）様々なワイヤレス通信デバイスを利用して実施されることが可能である。いくつかの実施形態においては、方法９００−ｂは、図１、図２、図３、図６、図７、および／もしくは図８において見られるモバイルデバイス１１５、図５において見られるデバイス５００、ならびに／または、図１および／もしくは図６において見られるコアネットワーク１３０および／もしくはコントローラ１２０を含む（ただし、それらには限定されない）様々なワイヤレス通信デバイスを利用して実施されることが可能である。方法９００−ｂは、図９Ａの方法９００−ａの一実施形態の一例であることが可能である。
【０１３６】
ブロック９０５−ａにおいて、通常キャリア帯域幅およびフレキシブルキャリア帯域幅が識別されることが可能である。フレキシブルキャリア帯域幅は、通常キャリア帯域幅に少なくとも部分的にオーバーラップすることが可能である。ブロック９１０−ａにおいて、少なくとも通常キャリア帯域幅またはフレキシブルキャリア帯域幅上でのアクティビティーレベルが基地局において判定されることが可能である。ブロック９１５−ａにおいて、フレキシブルキャリア帯域幅に対して通常キャリア帯域幅にわたるリバースリンク上での送信ブランキングを調整するために、判定された１つまたは複数のアクティビティーレベルに基づく少なくとも第１のインジケータが送信されることが可能である。送信ブランキングは、フレキシブルキャリア帯域幅にわたる同時送信中に生じるように調整されることが可能である。ブロック９２０において、通常キャリア帯域幅にわたる送信ブランキングに対してフレキシブルキャリア帯域幅にわたるリバースリンク上での電力送信増大を調整するために、判定された１つまたは複数のアクティビティーレベルに基づいて、少なくとも第２のインジケータが、基地局から少なくとも１つのモバイルデバイスへ送信されることが可能である。
【０１３７】
図９Ｃを参照すると、様々な実施形態による、ワイヤレス通信システムにおけるリバースリンクスループットを高めるための方法９００−ｃの流れ図。方法９００−ｃは、図１、図２、図３、図６、および／もしくは図８において見られる基地局１０５、ならびに／または図４において見られるデバイス４００を含む（ただし、それらには限定されない）様々なワイヤレス通信デバイスを利用して実施されることが可能である。いくつかの実施形態においては、方法９００−ｂは、図１、図２、図３、図６、図７、および／もしくは図８において見られるモバイルデバイス１１５、図５において見られるデバイス５００、ならびに／または、図１および／もしくは図６において見られるコアネットワーク１３０および／もしくはコントローラ１２０を含む（ただし、それらには限定されない）様々なワイヤレス通信デバイスを利用して実施されることが可能である。方法９００−ｂは、図９Ａの方法９００−ａの一実施形態の一例であることが可能である。
【０１３８】
ブロック９０５−ｂにおいて、通常キャリア帯域幅およびフレキシブルキャリア帯域幅が識別されることが可能である。フレキシブルキャリア帯域幅は、通常キャリア帯域幅に少なくとも部分的にオーバーラップすることが可能である。ブロック９１０−ｂにおいて、少なくとも通常キャリア帯域幅またはフレキシブルキャリア帯域幅上でのアクティビティーレベルが基地局において判定されることが可能である。ブロック９１５−ｂにおいて、通常キャリア帯域幅に対してフレキシブルキャリア帯域幅にわたるリバースリンク上での送信ブランキングを調整するために、判定された１つまたは複数のアクティビティーレベルに基づく少なくとも第１のインジケータが、少なくとも１つのモバイルデバイスへ送信されることが可能である。送信ブランキングは、通常キャリア帯域幅にわたる同時送信中に生じるように調整されることが可能である。いくつかの実施形態においては、ブロック９２０−ａにおいて示されるように、フレキシブルキャリア帯域幅にわたる送信ブランキングに対して通常キャリア帯域幅にわたるリバースリンク上での電力送信増大を調整するために、判定された１つまたは複数のアクティビティーレベルに基づいて、少なくとも第２のインジケータが、基地局から少なくとも１つのモバイルデバイスへ送信されることが可能である。
【０１３９】
図１０Ａを参照すると、様々な実施形態による、ワイヤレス通信システムにおけるリバースリンクスループットを高めるための方法１０００−ａの流れ図。方法１０００−ａは、図１、図２、図３、図６、図７、および／または図８において見られるモバイルデバイス１１５、図５において見られるデバイスを含む（ただし、それらには限定されない）様々なワイヤレス通信デバイスを利用して実施されることが可能である。いくつかの実施形態においては、方法１０００−ａは、図１、図２、図３、図６、および／もしくは図８において見られる基地局１０５、図４において見られるデバイス４００、ならびに／または、図１および／もしくは図６において見られるコアネットワーク１３０および／もしくはコントローラ１２０を含む（ただし、それらには限定されない）様々なワイヤレス通信デバイスを利用して実施されることが可能である。
【０１４０】
ブロック１００５において、第１のキャリア帯域幅にわたるリバースリンク上での送信ブランキングを調整するために、少なくとも１つのインジケータが受信されることが可能である。それらの１つまたは複数のインジケータは、ロードインジケータであることが可能である。そのインジケータは、たとえば、モバイルデバイスにおいて受信されることが可能である。ブロック１０１０において、第１のキャリア帯域幅に少なくとも部分的にオーバーラップする第２のキャリア帯域幅にわたる同時送信中に第１のキャリア帯域幅にわたるリバースリンク上での送信ブランキングを調整するために、少なくとも１つのインジケータが利用されることが可能である。
【０１４１】
いくつかの実施形態においては、第１のキャリア帯域幅に部分的にオーバーラップする第２のキャリア帯域幅にわたる同時送信中に第１のキャリア帯域幅にわたるリバースリンク上での送信ブランキングを調整するために少なくとも第１の受信されたインジケータを利用することは、少なくとも第１の受信されたインジケータを利用して第１のキャリア帯域幅にわたるリバースリンク上でのハード送信ブランキングを実行することを含む。第１のキャリア帯域幅に部分的にオーバーラップする第２のキャリア帯域幅にわたる同時送信中に第１のキャリア帯域幅にわたるリバースリンク上での送信ブランキングを調整するために少なくとも第１の受信されたインジケータを利用することは、少なくとも第１の受信されたインジケータを利用して第１のキャリア帯域幅にわたるリバースリンク上でのソフト送信ブランキングを実行することを含むことができる。調整された送信ブランキングは、調整された送信ブランキングのうちで、調整された送信ブランキングの全期間に満たない部分の間における送信を含むことができ、これは、ソフトブランキングおよび／またはハードブランキングに適用可能とすることができる。いくつかの実施形態は、調整されたソフト送信ブランキングから、調整されたハード送信ブランキングへ、またはその逆へ遷移することを含む。
【０１４２】
１つまたは複数のインジケータは、リバースアクティビティービット（ＲＡＢ）の機能であるインジケータ、ＲＡＢのようなインジケータ、リバースリンクサイレンスデュレーション、リバースリンクサイレンスデュレーションのようなインジケータ、Ｔ２ＰＩｎｆｌｏｗ割り振り、および／またはＴ２ＰＩｎｆｌｏｗ割り振りのようなインジケータを含むことができるが、それらには限定されない。送信ブランキングは、ハードブランキング、ソフトブランキング、または、ハードブランキングとソフトブランキングの組合せを含むことができる。いくつかの実施形態においては、第１のキャリア帯域幅は通常帯域幅であり、第２の帯域幅はフレキシブル帯域幅である。通常帯域幅は、フレキシブル帯域幅に完全にオーバーラップすることが可能である。
【０１４３】
いくつかの実施形態においては、方法１０００−ａは、第１のキャリア帯域幅にわたる送信ブランキング中に第２のキャリア帯域幅にわたる送信の電力を増大させることをさらに含むことができる。いくつかの実施形態においては、方法１０００−ａは、第１のキャリア帯域幅に部分的にオーバーラップする第３のキャリア帯域幅にわたる同時送信中に第１のキャリア帯域幅にわたるリバースリンク上での送信ブランキングを設けるためにロードインジケータを利用することをさらに含むことができる。
【０１４４】
図１０Ｂを参照すると、様々な実施形態による、ワイヤレス通信システムにおけるリバースリンクスループットを高めるための方法１０００−ｂの流れ図。方法１０００−ｂは、図１、図２、図３、図６、図７、および／または図８において見られるモバイルデバイス１１５、図５において見られるデバイスを含む（ただし、それらには限定されない）様々なワイヤレス通信デバイスを利用して実施されることが可能である。いくつかの実施形態においては、方法１０００−ｂは、図１、図２、図３、図６、および／もしくは図８において見られる基地局１０５、図４において見られるデバイス４００、ならびに／または、図１および／もしくは図６において見られるコアネットワーク１３０および／もしくはコントローラ１２０を含む（ただし、それらには限定されない）様々なワイヤレス通信デバイスを利用して実施されることが可能である。方法１０００−ｂは、図１０Ａの方法１０００−ａの特有の実施形態であることが可能である。
【０１４５】
ブロック１００５−ａにおいて、通常キャリア帯域幅にわたるリバースリンク上での送信ブランキングを調整するために、モバイルデバイスにおいて基地局からロードインジケータが受信されることが可能である。１つまたは複数のインジケータは、ロードインジケータであることが可能である。ブロック１０１０−ａにおいて、モバイルデバイスは、通常キャリア帯域幅に少なくとも部分的にオーバーラップするフレキシブルキャリア帯域幅にわたる同時送信中に通常キャリア帯域幅にわたるリバースリンク上での送信ブランキングを調整するために、ロードインジケータを利用することができる。
【０１４６】
図１０Ｃを参照すると、様々な実施形態による、ワイヤレス通信システムにおけるリバースリンクスループットを高めるための方法１０００−ｃの流れ図。方法１０００−ｃは、図１、図２、図３、図６、図７、および／または図８において見られるモバイルデバイス１１５、図５において見られるデバイスを含む（ただし、それらには限定されない）様々なワイヤレス通信デバイスを利用して実施されることが可能である。いくつかの実施形態においては、方法１０００−ｂは、図１、図２、図３、図６、および／もしくは図８において見られる基地局１０５、図４において見られるデバイス４００、ならびに／または、図１および／もしくは図６において見られるコアネットワーク１３０および／もしくはコントローラ１２０を含む（ただし、それらには限定されない）様々なワイヤレス通信デバイスを利用して実施されることが可能である。方法１０００−ｃは、図１０Ａの方法１０００−ａの特有の実施形態であることが可能である。
【０１４７】
ブロック１００５−ｂにおいて、フレキシブルキャリア帯域幅にわたるリバースリンク上での送信ブランキングを調整するために、モバイルデバイスにおいて基地局からロードインジケータが受信されることが可能である。１つまたは複数のインジケータは、ロードインジケータであることが可能である。ブロック１０１０−ｂにおいて、モバイルデバイスは、フレキシブルキャリア帯域幅に少なくとも部分的にオーバーラップする通常キャリア帯域幅にわたる同時送信中にフレキシブルキャリア帯域幅にわたるリバースリンク上での送信ブランキングを調整するために、ロードインジケータを利用することができる。
【０１４８】
添付の図面に関連して上述された詳細な説明は、例示的な実施形態を説明しており、実施されることが可能である、または特許請求の範囲の範疇内にある唯一の実施形態を表すわけではない。本明細書を通じて使用される「例示的な」という用語は、「例、事例、または例示として機能する」という意味であり、「好ましい」または「他の実施形態よりも有利である」という意味ではない。詳細な説明は、説明される技術の理解を提供する目的で、具体的な詳細を含んでいる。しかしながら、これらの技術は、それらの具体的な詳細を伴わずに実施されることが可能である。いくつかの例においては、説明される実施形態のコンセプトをわかりにくくすることを避けるために、既知の構造およびデバイスがブロック図の形態で示される。
【０１４９】
情報および信号は、様々な異なるテクノロジーおよび技術のうちの任意のものを使用して表されることが可能である。たとえば、上述の説明を通じて参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表されることが可能である。
【０１５０】
本明細書における開示に関連して説明される様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブルロジックデバイス、ディスクリートゲートもしくはトランジスタロジック、ディスクリートハードウェアコンポーネント、または、本明細書において説明される機能を実行するように設計されるそれらの任意の組合せとともに実施または実行されることが可能である。汎用プロセッサは、マイクロプロセッサであることが可能であるが、代替形態においては、そのプロセッサは、任意の従来のプロセッサ、コントローラ、マイクロコントローラ、または状態マシンであることが可能である。プロセッサは、コンピューティングデバイスの組合せ、たとえばＤＳＰとマイクロプロセッサとの組合せ、複数のマイクロプロセッサ、ＤＳＰコアを伴う１つもしくは複数のマイクロプロセッサ、または他の任意のそのような構成として実装されることも可能である。
【０１５１】
本明細書において説明される機能は、ハードウェア、プロセッサによって実行されるソフトウェア、ファームウェア、またはそれらの任意の組合せにおいて実装されることが可能である。プロセッサによって実行されるソフトウェアにおいて実装される場合には、それらの機能は、コンピュータ可読媒体上の１つもしくは複数の命令もしくはコード上に格納されること、またはコンピュータ可読媒体上の１つもしくは複数の命令もしくはコードとして送信されることが可能である。他の例および実装形態も、本開示および添付の特許請求の範囲の範疇および趣旨内である。たとえば、ソフトウェアの性質に起因して、上述の機能は、プロセッサによって実行されるソフトウェア、ハードウェア、ファームウェア、ハードワイヤリング、または、これらのうちの任意のものの組合せを使用して実装されることが可能である。機能を実施する特徴は、機能の部分どうしが別々の物理的な場所において実装されるように分散されることを含めて、様々な位置に物理的に配置されることも可能である。また、本明細書において使用される際には、特許請求の範囲における場合を含めて、「〜のうちの少なくとも１つ」によって始まる事項のリストにおいて使用される「または（もしくは）」は、離接的なリスト（disjunctive list）を示し、それによって、たとえば、「Ａ、Ｂ、またはＣのうちの少なくとも１つ」のリストは、Ａ、またはＢ、またはＣ、またはＡＢ、またはＡＣ、またはＢＣ、またはＡＢＣ（すなわち、ＡおよびＢおよびＣ）を意味する。
【０１５２】
コンピュータ可読媒体は、１つの場所から別の場所へのコンピュータプログラムの転送を容易にする任意の媒体を含めて、コンピュータストレージ媒体と通信媒体の両方を含む。ストレージ媒体は、汎用または専用のコンピュータによってアクセスされることが可能である任意の利用可能な媒体であることが可能である。限定ではなく、例として、コンピュータ可読媒体は、ＲＡＭ、ＲＯＭ、ＥＥＰＲＯＭ（登録商標）、ＣＤ−ＲＯＭ、もしくは他の光学ディスクストレージ、磁気ディスクストレージもしくは他の磁気ストレージデバイス、または、所望のプログラムコード手段を命令もしくはデータ構造の形態で搬送もしくは格納するために使用されることが可能な、ならびに汎用もしくは専用のコンピュータまたは汎用もしくは専用のプロセッサによってアクセスされることが可能な他の任意の媒体を備えることができる。また、いかなる接続も、コンピュータ可読媒体と呼ばれることが適切である。たとえば、同軸ケーブル、光ファイバケーブル、ツイストペア、デジタルサブスクライバーライン（ＤＳＬ）、または、赤外線、ラジオ波、およびマイクロ波などのワイヤレステクノロジーを使用して、ウェブサイト、サーバ、または他のリモートソースからソフトウェアが送信される場合には、その同軸ケーブル、光ファイバケーブル、ツイストペア、ＤＳＬ、または、赤外線、ラジオ波、およびマイクロ波などのワイヤレステクノロジーは、媒体の定義内に含まれる。ディスク（ｄｉｓｋ）およびディスク（ｄｉｓｃ）は、本明細書において使用される際には、コンパクトディスク（ｃｏｍｐａｃｔ  ｄｉｓｃ：ＣＤ）、レーザーディスク（登録商標）（ｌａｓｅｒ  ｄｉｓｃ）、光学ディスク（ｏｐｔｉｃａｌ  ｄｉｓｃ）、デジタル多用途ディスク（ｄｉｇｉｔａｌ  ｖｅｒｓａｔｉｌｅ  ｄｉｓｃ：ＤＶＤ）、フロッピー（登録商標）ディスク（ｆｌｏｐｐｙ  ｄｉｓｋ）、およびブルーレイ（登録商標）ディスク（ｂｌｕ−ｒａｙ  ｄｉｓｃ）を含み、ディスク（ｄｉｓｋ）は通常、データを磁気的に再生し、その一方でディスク（ｄｉｓｃ）は、レーザーを用いてデータを光学的に再生する。上記の組合せも、コンピュータ可読媒体の範囲内に含まれる。
【０１５３】
本開示のここまでの説明は、当業者が本開示を作成または使用することを可能にするために提供される。本開示に対する様々な修正は、当業者にとって容易に明らかになるであろうし、本明細書において定義される一般的な原理は、本開示の趣旨または範囲から逸脱することなく、他の変形形態に適用されることが可能である。本開示を通じて、「例」または「例示的な」という用語は、例または事例を示しており、言及される例に対するいかなる好みも意味するまたは求めるものではない。したがって、本開示は、本明細書において説明される例および設計に限定されるものではなく、本明細書において開示される原理および新規な特徴と整合する最も広い範囲を与えられるものである。
以下に、本願出願の当初の特許請求の範囲に記載された発明を付記する。
［Ｃ１］
ワイヤレス通信システムにおけるリバースリンクスループットを高める方法であって、
第１のキャリア帯域幅および第２のキャリア帯域幅を識別することと、ここで、前記第２のキャリア帯域幅は、前記第１のキャリア帯域幅に少なくとも部分的にオーバーラップする、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと
を備える方法。
［Ｃ２］
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することをさらに備える、
［Ｃ１］に記載の方法。
［Ｃ３］
前記第２のキャリア帯域幅に対して前記第１のキャリア帯域幅にわたる前記リバースリンク上での前記送信ブランキングを調整するために、前記判定された１つまたは複数のアクティビティーレベルに基づいて少なくとも前記第１のインジケータを送信することは、
少なくとも前記第１の送信されたインジケータに基づいて前記第１のキャリア帯域幅にわたる前記リバースリンク上でのハード送信ブランキングを調整することをさらに備える、
［Ｃ１］に記載の方法。
［Ｃ４］
前記第２のキャリア帯域幅に対して前記第１のキャリア帯域幅にわたる前記リバースリンク上での前記送信ブランキングを調整するために、前記判定された１つまたは複数のアクティビティーレベルに基づいて少なくとも前記第１のインジケータを送信することは、
少なくとも前記第１の送信されたインジケータに基づいて前記第１のキャリア帯域幅にわたる前記リバースリンク上でのソフト送信ブランキングを調整することをさらに備える、
［Ｃ１］に記載の方法。
［Ｃ５］
前記調整された送信ブランキングは、前記調整された送信ブランキングのうちで、前記調整されたソフト送信ブランキングの全期間に満たない部分の間における送信を備える、
［Ｃ１］に記載の方法。
［Ｃ６］
前記調整されたソフト送信ブランキングを、調整されたハード送信ブランキングへ遷移させることをさらに備える、
［Ｃ４］に記載の方法。
［Ｃ７］
前記第１のキャリア帯域幅は、通常キャリア帯域幅であり、前記第２のキャリア帯域幅がフレキシブルキャリア帯域幅である、
［Ｃ１］に記載の方法。
［Ｃ８］
前記通常キャリア帯域幅は、前記フレキシブルキャリア帯域幅に完全にオーバーラップする、
［Ｃ７］に記載の方法。
［Ｃ９］
少なくとも前記第１のキャリア帯域幅または前記第２のキャリア帯域幅は、認可されたスペクトルを利用する、
［Ｃ１］に記載の方法。
［Ｃ１０］
前記第１のキャリア帯域幅および前記第２のキャリア帯域幅は、別々の無線アクセステクノロジー（ＲＡＴ）を利用する、
［Ｃ１］に記載の方法。
［Ｃ１１］
前記第１のインジケータは、少なくともリバースアクティビティービット（ＲＡＢ）の機能であるインジケータ、またはＲＡＢのようなインジケータを備える、
［Ｃ１］に記載の方法。
［Ｃ１２］
前記第１のインジケータは、少なくともリバースリンクサイレンスデュレーションの機能であるインジケータ、またはリバースリンクサイレンスデュレーションのようなインジケータを備える、
［Ｃ１］に記載の方法。
［Ｃ１３］
前記第１のインジケータは、少なくともＴ２ＰＩｎｆｌｏｗ割り振りの機能であるインジケータ、またはＴ２ＰＩｎｆｌｏｗ割り振りのようなインジケータを備える、
［Ｃ１］に記載の方法。
［Ｃ１４］
前記調整された送信ブランキングは、ハードブランキングとソフトブランキングの組合せを備える、
［Ｃ１］に記載の方法。
［Ｃ１５］
前記第１のキャリア帯域幅にわたる前記調整された送信ブランキングは、スロットレベルで生じる、
［Ｃ１］に記載の方法。
［Ｃ１６］
前記第１のインジケータを送信することは、基地局において生じる、
［Ｃ１］に記載の方法。
［Ｃ１７］
前記少なくとも前記第１のインジケータは、１つまたは複数のモバイルデバイスへ送信される、
［Ｃ１］に記載の方法。
［Ｃ１８］
前記第１のキャリア帯域幅にわたる前記リバースリンク上での送信ブランキングは、前記第２のキャリア帯域幅にわたる同時送信中に生じるように調整される、
［Ｃ１］に記載の方法。
［Ｃ１９］
前記第２のキャリア帯域幅にわたる電力増大を利用して、少なくとも制御チャネルまたはデータチャネルの少なくともデータレートに関する増大を調整することをさらに備える、
［Ｃ１］に記載の方法。
［Ｃ２０］
前記第１のキャリア帯域幅にわたる前記調整された送信ブランキングとは異なる時間中に前記第１のキャリア帯域幅にわたる電力送信増大を調整することをさらに備える、
［Ｃ１］に記載の方法。
［Ｃ２１］
前記第１のキャリア帯域幅が送信を行っていない１つまたは複数のスロット中に前記第２のキャリア帯域幅にわたる同時送信を調整することをさらに備える、
［Ｃ１］に記載の方法。
［Ｃ２２］
前記第１のキャリア帯域幅にわたる同時送信中に前記第２のキャリア帯域幅にわたる前記リバースリンク上での送信ブランキングを調整すること
をさらに備える、［Ｃ１］に記載の方法。
［Ｃ２３］
前記第１のキャリア帯域幅にわたる前記同時送信中に前記第２のキャリア帯域幅にわたる前記リバースリンク上での送信ブランキングを調整することは、少なくとも、前記第２のキャリア帯域幅に対する前記第１のキャリア帯域幅の相対的なローディング、または時刻に依存する、
［Ｃ２２］に記載の方法。
［Ｃ２４］
前記第２のキャリア帯域幅とは異なる第３のキャリア帯域幅を識別することと、ここで、前記第３のキャリア帯域幅は、前記第１のキャリア帯域幅に少なくとも部分的にオーバーラップする、
少なくとも前記第１のキャリア帯域幅または前記第３のキャリア帯域幅上でのアクティビティーレベルを判定することと、
前記判定されたアクティビティーレベルに応じて第１のモバイルデバイスからの前記第１のキャリア帯域幅にわたる前記リバースリンク上での調整された送信ブランキングを生成するために、前記判定に基づいて少なくとも第３のインジケータを前記第１のモバイルデバイスへ送信することと
をさらに備える、［Ｃ１］に記載の方法。
［Ｃ２５］
リバースリンクスループットを高めるように構成されるワイヤレス通信システムであって、
第１のキャリア帯域幅および第２のキャリア帯域幅を識別するための手段と、ここで、前記第２のキャリア帯域幅は、前記第１のキャリア帯域幅に少なくとも部分的にオーバーラップする、
少なくとも前記第１のキャリア帯域幅または前記第２のキャリア帯域幅上でのアクティビティーレベルを判定することを行うための手段と、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することを行うための手段と
を備えるワイヤレス通信システム。
［Ｃ２６］
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することを行うための手段をさらに備える、
［Ｃ２５］に記載のワイヤレス通信システム。
［Ｃ２７］
少なくとも前記第１のインジケータを送信することの一部として、少なくとも前記第１の送信されたインジケータに基づいて前記第１のキャリア帯域幅にわたる前記リバースリンク上でのハード送信ブランキングを調整することを行うための手段をさらに備える、
［Ｃ２５］に記載のワイヤレス通信システム。
［Ｃ２８］
少なくとも前記第１のインジケータを送信することの一部として、少なくとも前記第１の送信されたインジケータに基づいて前記第１のキャリア帯域幅にわたる前記リバースリンク上でのソフト送信ブランキングを調整することを行うための手段をさらに備える、
［Ｃ２５］に記載のワイヤレス通信システム。
［Ｃ２９］
前記第１のキャリア帯域幅は、通常キャリア帯域幅であり、前記第２のキャリア帯域幅は、フレキシブルキャリア帯域幅である、
［Ｃ２５］に記載のワイヤレス通信システム。
［Ｃ３０］
前記第１のインジケータは、少なくともリバースアクティビティービット（ＲＡＢ）の機能であるインジケータ、またはＲＡＢのようなインジケータを備える、
［Ｃ２５］に記載のワイヤレス通信システム。
［Ｃ３１］
ワイヤレス通信システムにおけるリバースリンクスループットを高めるためのコンピュータプログラム製品であって、
第１のキャリア帯域幅および第２のキャリア帯域幅を識別することを行うためのコードと、ここで、前記第２のキャリア帯域幅は、前記第１のキャリア帯域幅に少なくとも部分的にオーバーラップする、
少なくとも前記第１のキャリア帯域幅または前記第２のキャリア帯域幅上でのアクティビティーレベルを判定することを行うためのコードと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することを行うためのコードと
を備える非一時的コンピュータ可読媒体を備えるコンピュータプログラム製品。
［Ｃ３２］
前記非一時的コンピュータ可読媒体は、
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することを行うためのコードをさらに備える、
［Ｃ３１］に記載のコンピュータプログラム製品。
［Ｃ３３］
前記非一時的コンピュータ可読媒体は、
少なくとも前記第１のインジケータを送信することの一部として、少なくとも前記第１の送信されたインジケータに基づいて前記第１のキャリア帯域幅にわたる前記リバースリンク上でのハード送信ブランキングを調整することを行うためのコードをさらに備える、
［Ｃ３１］に記載のコンピュータプログラム製品。
［Ｃ３４］
前記非一時的コンピュータ可読媒体は、
少なくとも前記第１のインジケータを送信することの一部として、少なくとも前記第１の送信されたインジケータに基づいて前記第１のキャリア帯域幅にわたる前記リバースリンク上でのソフト送信ブランキングを調整することを行うためのコードをさらに備える、
［Ｃ３１］に記載のコンピュータプログラム製品。
［Ｃ３５］
前記第１のキャリア帯域幅が通常キャリア帯域幅であり、前記第２のキャリア帯域幅がフレキシブルキャリア帯域幅である、
［Ｃ３１］に記載のコンピュータプログラム製品。
［Ｃ３６］
前記第１のインジケータは、少なくともリバースリンクサイレンスデュレーションの機能であるインジケータ、またはリバースリンクサイレンスデュレーションのようなインジケータを備える、
［Ｃ３１］に記載のコンピュータプログラム製品。
［Ｃ３７］
リバースリンクスループットを高めるように構成されるワイヤレス通信デバイスであって、
第１のキャリア帯域幅および第２のキャリア帯域幅を識別することと、ここで、前記第２のキャリア帯域幅が、前記第１のキャリア帯域幅に少なくとも部分的にオーバーラップする、
少なくとも前記第１のキャリア帯域幅または前記第２のキャリア帯域幅上でのアクティビティーレベルを判定することと、
前記第２のキャリア帯域幅に対して前記第１のキャリア帯域幅にわたるリバースリンク上での送信ブランキングを調整するために、前記判定された１つまたは複数のアクティビティーレベルに基づいて少なくとも第１のインジケータを送信することと
を行うように構成される少なくとも１つのプロセッサと、
前記少なくとも１つのプロセッサに結合される少なくとも１つのメモリと
を備えるワイヤレス通信デバイス。
［Ｃ３８］
前記少なくとも１つのプロセッサは、
前記第１のキャリア帯域幅に対して前記第２のキャリア帯域幅にわたるリバースリンク上での電力送信増大を調整するために、前記判定された１つまたは複数のアクティビティーレベルに基づいて少なくとも第２のインジケータを送信することを行うようにさらに構成される、
［Ｃ３７］に記載のワイヤレス通信デバイス。
［Ｃ３９］
前記少なくとも１つのプロセッサは、
少なくとも前記第１のインジケータを送信することの一部として、少なくとも前記第１の送信されたインジケータに基づいて前記第１のキャリア帯域幅にわたる前記リバースリンク上でのハード送信ブランキングを調整することを行うようにさらに構成される、
［Ｃ３７］に記載のワイヤレス通信デバイス。
［Ｃ４０］
前記少なくとも１つのプロセッサは、
少なくとも前記第１のインジケータを送信することの一部として、少なくとも前記第１の送信されたインジケータに基づいて前記第１のキャリア帯域幅にわたる前記リバースリンク上でのソフト送信ブランキングを調整することを行うようにさらに構成される、
［Ｃ３７］に記載のワイヤレス通信デバイス。
［Ｃ４１］
前記第１のキャリア帯域幅は、通常キャリア帯域幅であり、前記第２のキャリア帯域幅がフレキシブルキャリア帯域幅である、
［Ｃ３７］に記載のワイヤレス通信デバイス。
［Ｃ４２］
前記第１のインジケータは、少なくともＴ２ＰＩｎｆｌｏｗ割り振りの機能であるインジケータ、またはＴ２ＰＩｎｆｌｏｗ割り振りのようなインジケータを備える、
［Ｃ３７］に記載のワイヤレス通信デバイス。
［Ｃ４３］
ワイヤレス通信システムにおけるリバースリンクスループットを高める方法であって、
第１のキャリア帯域幅にわたるリバースリンク上での送信ブランキングを調整するために少なくとも第１のインジケータを受信することと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することと
を備える方法。
［Ｃ４４］
前記第１のキャリア帯域幅前記送信ブランキングに部分的にオーバーラップする前記第２のキャリア帯域幅にわたる前記同時送信中に前記第１のキャリア帯域幅にわたる前記リバースリンク上での前記送信ブランキングを調整するために少なくとも前記第１の受信されたインジケータを利用することは、
少なくとも前記第１の受信されたインジケータを利用して前記第１のキャリア帯域幅にわたる前記リバースリンク上でのハード送信ブランキングを実行することを備える、
［Ｃ４３］に記載の方法。
［Ｃ４５］
前記第１のキャリア帯域幅前記送信ブランキングに部分的にオーバーラップする前記第２のキャリア帯域幅にわたる前記同時送信中に前記第１のキャリア帯域幅にわたる前記リバースリンク上での前記送信ブランキングを調整するために少なくとも前記第１の受信されたインジケータを利用することは、
少なくとも前記第１の受信されたインジケータを利用して前記第１のキャリア帯域幅にわたる前記リバースリンク上でのソフト送信ブランキングを実行することを備える、
［Ｃ４３］に記載の方法。
［Ｃ４６］
前記第１のキャリア帯域幅が通常キャリア帯域幅であり、前記第２のキャリア帯域幅がフレキシブルキャリア帯域幅である、
［Ｃ４３］に記載の方法。
［Ｃ４７］
前記第１のインジケータは、少なくともリバースアクティビティービット（ＲＡＢ）の機能であるインジケータ、またはＲＡＢのようなインジケータを備える、
［Ｃ４３］に記載の方法。
［Ｃ４８］
前記第１のインジケータは、少なくともリバースリンクサイレンスデュレーションの機能であるインジケータ、またはリバースリンクサイレンスデュレーションのようなインジケータを備える、
［Ｃ４３］に記載の方法。
［Ｃ４９］
前記第１のインジケータは、少なくともＴ２ＰＩｎｆｌｏｗ割り振りの機能であるインジケータ、またはＴ２ＰＩｎｆｌｏｗ割り振りのようなインジケータを備える、
［Ｃ４３］に記載の方法。
［Ｃ５０］
前記送信ブランキングは、ハードブランキングとソフトブランキングの組合せを備える、
［Ｃ４３］に記載の方法。
［Ｃ５１］
少なくとも前記第１のインジケータを受信することは、モバイルデバイスにおいて生じる、
［Ｃ４３］に記載の方法。
［Ｃ５２］
前記第１のキャリア帯域幅にわたる前記調整された送信ブランキング中に前記同時送信のための前記第２のキャリア帯域幅にわたる送信の電力を増大させることをさらに備える、
［Ｃ４３］に記載の方法。
［Ｃ５３］
前記第１のキャリア帯域幅に部分的にオーバーラップする第３のキャリア帯域幅にわたる同時送信中に前記第１のキャリア帯域幅にわたる前記リバースリンク上での調整された送信ブランキングを設けるために少なくとも前記第１のインジケータまたは第２のインジケータを利用することをさらに備える、
［Ｃ４３］に記載の方法。
［Ｃ５４］
リバースリンクスループットを高めるように構成されるワイヤレス通信システムであって、
第１のキャリア帯域幅にわたるリバースリンク上での送信ブランキングを調整するために少なくとも第１のインジケータを受信することを行うための手段と、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することを行うための手段と
を備えるワイヤレス通信システム。
［Ｃ５５］
少なくとも前記第１の受信されたインジケータを利用することの一部として、前記第１のキャリア帯域幅にわたる前記リバースリンク上でのハード送信ブランキングを実行することを行うための手段をさらに備える、
［Ｃ５４］に記載のワイヤレス通信システム。
［Ｃ５６］
少なくとも前記第１の受信されたインジケータを利用することの一部として、前記第１のキャリア帯域幅にわたる前記リバースリンク上でのソフト送信ブランキングを実行することを行うための手段をさらに備える、
［Ｃ５４］に記載のワイヤレス通信システム。
［Ｃ５７］
前記第１のキャリア帯域幅は、通常キャリア帯域幅であり、前記第２のキャリア帯域幅は、フレキシブルキャリア帯域幅である、
［Ｃ５４］に記載のワイヤレス通信システム。
［Ｃ５８］
前記第１のインジケータは、少なくともリバースアクティビティービット（ＲＡＢ）の機能であるインジケータ、またはＲＡＢのようなインジケータを備える、
［Ｃ５４］に記載のワイヤレス通信システム。
［Ｃ５９］
ワイヤレス通信システムにおけるリバースリンクスループットを高めるためのコンピュータプログラム製品であって、
第１のキャリア帯域幅にわたるリバースリンク上での送信ブランキングを調整するために少なくとも第１のインジケータを受信することを行うためのコードと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することを行うためのコードと
を備える非一時的コンピュータ可読媒体を備える
コンピュータプログラム製品。
［Ｃ６０］
前記非一時的コンピュータ可読媒体は、
少なくとも前記第１の受信されたインジケータを利用することの一部として、前記第１のキャリア帯域幅にわたる前記リバースリンク上でのハード送信ブランキングを実行することを行うためのコードをさらに備える、
［Ｃ５９］に記載のコンピュータプログラム製品。
［Ｃ６１］
前記非一時的コンピュータ可読媒体は、
少なくとも前記第１の受信されたインジケータを利用することの一部として、前記第１のキャリア帯域幅にわたる前記リバースリンク上でのソフト送信ブランキングを実行することを行うためのコードをさらに備える、
［Ｃ５９］に記載のコンピュータプログラム製品。
［Ｃ６２］
前記第１のキャリア帯域幅は、通常キャリア帯域幅であり、前記第２のキャリア帯域幅は、フレキシブルキャリア帯域幅である、
［Ｃ５９］に記載のコンピュータプログラム製品。
［Ｃ６３］
前記第１のインジケータは、少なくともリバースリンクサイレンスデュレーションの機能であるインジケータ、またはリバースリンクサイレンスデュレーションのようなインジケータを備える、
［Ｃ５９］に記載のコンピュータプログラム製品。
［Ｃ６４］
リバースリンクスループットを高めるように構成されるワイヤレス通信デバイスであって、
第１のキャリア帯域幅にわたるリバースリンク上での送信ブランキングを調整するために少なくとも第１のインジケータを受信することと、
前記第１のキャリア帯域幅に少なくとも部分的にオーバーラップする第２のキャリア帯域幅にわたる同時送信中に前記第１のキャリア帯域幅にわたる前記リバースリンク上での前記送信ブランキングを調整するために少なくとも前記第１の受信されたインジケータを利用することと
を行うように構成される少なくとも１つのプロセッサと、
前記少なくとも１つのプロセッサに結合される少なくとも１つのメモリと
を備えるワイヤレス通信デバイス。
［Ｃ６５］
前記少なくとも１つのプロセッサは、
少なくとも前記第１の受信されたインジケータを利用することの一部として、前記第１のキャリア帯域幅にわたる前記リバースリンク上でのハード送信ブランキングを実行することを行うようにさらに構成される、
［Ｃ６４］に記載のワイヤレス通信デバイス。
［Ｃ６６］
前記少なくとも１つのプロセッサは、
少なくとも前記第１の受信されたインジケータを利用することの一部として、前記第１のキャリア帯域幅にわたる前記リバースリンク上でのソフト送信ブランキングを実行することを行うようにさらに構成される、
［Ｃ６４］に記載のワイヤレス通信デバイス。
［Ｃ６７］
前記第１のキャリア帯域幅が通常キャリア帯域幅であり、前記第２のキャリア帯域幅がフレキシブルキャリア帯域幅である、
［Ｃ６４］に記載のワイヤレス通信デバイス。
［Ｃ６８］
前記第１のインジケータが、少なくともＴ２ＰＩｎｆｌｏｗ割り振りの機能であるインジケータ、またはＴ２ＰＩｎｆｌｏｗ割り振りのようなインジケータを備える、［Ｃ６４］に記載のワイヤレス通信デバイス。
【図１】
0005763279.tif 000004
【図２Ａ】
0005763279.tif 000005
【図２Ｂ】
0005763279.tif 000006
【図２Ｃ】
0005763279.tif 000007
【図２Ｄ】
0005763279.tif 000008
【図２Ｅ】
0005763279.tif 000009
【図２Ｆ】
0005763279.tif 000010
【図３】
0005763279.tif 000011
【図４】
0005763279.tif 000012
【図５】
0005763279.tif 000013
【図６】
0005763279.tif 000014
【図７】
0005763279.tif 000015
【図８】
0005763279.tif 000016
【図９Ａ】
0005763279.tif 000017
【図９Ｂ】
0005763279.tif 000018
【図９Ｃ】
0005763279.tif 000019
【図１０Ａ】
0005763279.tif 000020
【図１０Ｂ】
0005763279.tif 000021
【図１０Ｃ】
0005763279.tif 000022